(57)【要約】  画面に対象者から取得したバイタルデータに基づく表示を行う健康管理システム（１）は、バイタルデータについて取得の時を対応付けたバイタルデータ履歴を記憶するバイタルデータ記憶部（２３１）と、複数の付加情報項目それぞれの優先度を定めた優先度情報を記憶する優先度情報記憶部（２３３）と、画面中の第１領域及び第２領域の指定を受け付ける受付部（１０１）と、受付部（１０１）により指定が受け付けられた第１領域及び第２領域のサイズ並びに優先度情報に基づき、表示すべき付加情報項目を選定する選定部（１０２）と、一定期間分の前記バイタルデータ履歴を画面に表示し、受付部（１０１）により指定が受け付けられた場合には第２領域に関連する位置に、一定期間のうち第１領域に対応する一部分のバイタルデータ履歴に関連し選定部（１０２）により選定された付加情報項目についての付加情報を表示する表示部（１０４）とを備える。
2015140845.tif 000002
【特許請求の範囲】
【請求項１】
画面に所定の対象者から逐次取得したバイタルデータに基づく表示を行う健康管理システムであって、
前記バイタルデータについて取得の時を対応付けたバイタルデータ履歴を記憶するバイタルデータ記憶部と、
複数の付加情報項目それぞれの優先度を定めた優先度情報を記憶する優先度情報記憶部と、
画面中の第１領域及び第２領域の指定を受け付ける受付部と、
前記受付部により指定が受け付けられた第１領域及び第２領域のサイズ並びに前記優先度情報に基づき、表示すべき付加情報項目を選定する選定部と、
一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える
健康管理システム。
【請求項２】
前記選定部は、前記第２領域のサイズの前記第１領域のサイズに対する比である倍率に応じて前記優先度情報に基づき前記選定を行い、
前記優先度情報は、倍率毎に付加情報項目を対応付けた情報である
請求項１記載の健康管理システム。
【請求項３】
前記表示部は、前記受付部により前記指定が受け付けられた場合には前記第２領域内に前記付加情報を表示し、
前記選定部は、前記倍率が大きい程多くの付加情報項目を選定する
請求項２記載の健康管理システム。
【請求項４】
前記表示部は、前記第２領域のサイズに応じて前記付加情報の表示態様を決定し、決定した当該表示態様で当該付加情報を表示する
請求項３記載の健康管理システム。
【請求項５】
前記選定部は、前記第２領域のサイズにも応じて、前記優先度情報に基づき前記選定を行う
請求項３記載の健康管理システム。
【請求項６】
前記表示部は、前記一定期間分の前記バイタルデータ履歴をグラフ形式で表示し、前記受付部により前記指定が受け付けられた場合には前記第２領域内に、前記グラフ形式の前記バイタルデータ履歴を前記比に係る前記倍率で拡大して表示する
請求項３記載の健康管理システム。
【請求項７】
前記健康管理システムは、前記第１領域に対応する部分の前記バイタルデータ履歴に基づいて、前記選定部により選定された付加情報項目についての分析情報を算出する分析部を備え、
前記表示部が表示する前記付加情報は、前記分析部により算出された分析情報を含む
請求項２記載の健康管理システム。
【請求項８】
前記健康管理システムは、相互に通信可能な前記バイタルデータ履歴を管理する管理装置と前記対象者から前記バイタルデータを取得する対象者用端末とを備え、
前記対象者用端末は、前記画面と前記受付部と前記表示部とを有する
請求項２記載の健康管理システム。
【請求項９】
前記管理装置は、前記バイタルデータ履歴を参照した指導者が前記対象者に向けた指導情報を入力するための指導者用端末と通信可能であり、当該指導者用端末から取得した当該指導情報を記憶するための指導情報記憶部を有し、
前記表示部が表示する前記付加情報は、前記指導情報記憶部に記憶された前記指導情報を含む
請求項８記載の健康管理システム。
【請求項１０】
前記優先度情報記憶部に記憶された前記優先度情報は前記指導者用端末から更新可能に構成される
請求項９記載の健康管理システム。
【請求項１１】
画面に対象者から逐次取得したバイタルデータに基づく表示を行う端末装置であって、
前記バイタルデータについて取得の時を対応付けたバイタルデータ履歴を記憶するバイタルデータ記憶部と、
複数の付加情報項目それぞれの優先度を定めた優先度情報を記憶する優先度情報記憶部と、
画面中の第１領域及び第２領域の指定を受け付ける受付部と、
前記受付部により指定が受け付けられた第１領域及び第２領域のサイズ並びに前記優先度情報に基づき、表示すべき付加情報項目を選定する選定部と、
一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える
端末装置。
【請求項１２】
端末装置の画面に対象者から逐次取得したバイタルデータに基づく表示を行う表示方法であって、
前記バイタルデータについて取得の時を対応付けたバイタルデータ履歴を記憶し、
一定期間分の前記バイタルデータ履歴を前記画面に表示し、
複数の付加情報項目それぞれの優先度を定めた優先度情報を取得し、
画面中の第１領域及び第２領域の指定を受け付け、
前記指定が受け付けられた第１領域及び第２領域のサイズ並びに前記優先度情報に基づき、表示すべき付加情報項目を選定し、
前記第２領域に関連する位置に、前記一定期間のうち前記第１領域に対応する一部分の前記バイタルデータ履歴に関連し、前記選定がなされた付加情報項目についての付加情報を表示する
表示方法。
【請求項１３】
プロセッサを備える端末装置に、画面に対象者から逐次取得したバイタルデータに基づく表示を行う表示処理を実行させるための制御プログラムであって、
前記表示処理は、
前記バイタルデータについて取得の時を対応付けたバイタルデータ履歴を記憶するステップと、
一定期間分の前記バイタルデータ履歴を前記画面に表示するステップと、
複数の付加情報項目それぞれの優先度を定めた優先度情報を取得するステップと、
画面中の第１領域及び第２領域の指定を受け付けるステップと、
前記指定が受け付けられた第１領域及び第２領域のサイズ並びに前記優先度情報に基づき、表示すべき付加情報項目を選定するステップと、
前記第２領域に関連する位置に、前記一定期間のうち前記第１領域に対応する一部分の前記バイタルデータ履歴に関連し、前記選定がなされた付加情報項目についての付加情報を表示するステップとを含む
制御プログラム。
【発明の詳細な説明】
【技術分野】
【０００１】
本開示は、健康管理を支援する健康管理システムに関し、測定されたバイタルデータに係る情報の端末装置への表示技術に関する。
【背景技術】
【０００２】
特許文献１は、長期傾向のグラフを表示し、指定枠内にそのグラフを拡大した拡大グラフ及びデータの平均値を表示する技術を開示する。
【先行技術文献】
【特許文献】
【０００３】
【特許文献１】特開２０１０−０４９５３３号公報
【発明の概要】
【発明が解決しようとする課題】
【０００４】
本開示は、バイタルデータ履歴を画面上で閲覧する閲覧者の利便性を従来よりも向上させるべく、バイタルデータ履歴を表示した画面の一部に適切な情報量の付加情報を表示する健康管理システム、及び、このシステムに関連する技術を提供する。
【課題を解決するための手段】
【０００５】
本開示における健康管理システムは、画面に所定の対象者から逐次取得したバイタルデータに基づく表示を行う健康管理システムであって、前記バイタルデータについて取得の時を対応付けたバイタルデータ履歴を記憶するバイタルデータ記憶部と、複数の付加情報項目それぞれの優先度を定めた優先度情報を記憶する優先度情報記憶部と、画面中の第１領域及び第２領域の指定を受け付ける受付部と、前記受付部により指定が受け付けられた第１領域及び第２領域のサイズ並びに前記優先度情報に基づき、表示すべき付加情報項目を選定する選定部と、一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える健康管理システムである。【０００６】
また、本開示における端末装置は、画面に対象者から逐次取得したバイタルデータに基づく表示を行う端末装置であって、前記バイタルデータについて取得の時を対応付けたバイタルデータ履歴を記憶するバイタルデータ記憶部と、複数の付加情報項目それぞれの優先度を定めた優先度情報を記憶する優先度情報記憶部と、画面中の第１領域及び第２領域の指定を受け付ける受付部と、前記受付部により指定が受け付けられた第１領域及び第２領域のサイズ並びに前記優先度情報に基づき、表示すべき付加情報項目を選定する選定部と、一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える端末装置である。【０００７】
また、本開示における表示方法は、端末装置の画面に対象者から逐次取得したバイタルデータに基づく表示を行う表示方法であって、前記バイタルデータについて取得の時を対応付けたバイタルデータ履歴を記憶し、一定期間分の前記バイタルデータ履歴を前記画面に表示し、複数の付加情報項目それぞれの優先度を定めた優先度情報を取得し、画面中の第１領域及び第２領域の指定を受け付け、前記指定が受け付けられた第１領域及び第２領域のサイズ並びに前記優先度情報に基づき、表示すべき付加情報項目を選定し、前記第２領域に関連する位置に、前記一定期間のうち前記第１領域に対応する一部分の前記バイタルデータ履歴に関連し、前記選定がなされた付加情報項目についての付加情報を表示する表示方法である。【０００８】
また、本開示における制御プログラムは、プロセッサを備える端末装置に、画面に対象者から逐次取得したバイタルデータに基づく表示を行う表示処理を実行させるための制御プログラムであって、前記表示処理は、前記バイタルデータについて取得の時を対応付けたバイタルデータ履歴を記憶するステップと、一定期間分の前記バイタルデータ履歴を前記画面に表示するステップと、複数の付加情報項目それぞれの優先度を定めた優先度情報を取得するステップと、画面中の第１領域及び第２領域の指定を受け付けるステップと、前記指定が受け付けられた第１領域及び第２領域のサイズ並びに前記優先度情報に基づき、表示すべき付加情報項目を選定するステップと、前記第２領域に関連する位置に、前記一定期間のうち前記第１領域に対応する一部分の前記バイタルデータ履歴に関連し、前記選定がなされた付加情報項目についての付加情報を表示するステップとを含む制御プログラムである。
【発明の効果】
【０００９】
本開示における健康管理システム、端末装置等は、画面に表示する付加情報の項目を指定された領域のサイズに基づいて選定するため、適切な情報量の付加情報を表示し得る。
【図面の簡単な説明】
【００１０】
【図１】図１は、実施の形態１に係る健康管理システムの概略構成図である。
【図２】図２は、健康管理システムの各装置類の主なハードウェア構成を示す図である。
【図３】図３は、優先度情報を例示する図である。
【図４】図４は、倍率テーブルの構成及び内容例を示す図である。
【図５】図５は、健康管理システムの機能ブロック図である。
【図６】図６は、バイタルデータ履歴の表示処理を示すフローチャートである。
【図７】図７は、画面の領域の指定がなされ拡大操作が開始された直後の状態の画面例を示す図である。
【図８】図８は、画面の領域の指定がなされ領域が１．８倍に拡大された状態の画面例を示す図である。
【図９】図９は、指導者用端末の動作を示すフローチャートである。
【図１０】図１０は、他の実施の形態に係る健康管理システムの機能ブロック図である。
【図１１】図１１は、他の実施の形態に係る健康管理システムにおける端末装置の機能ブロック図である。
【発明を実施するための形態】
【００１１】
健康管理の対象者がバイタルデータ履歴を端末装置の画面上で閲覧する際に、閲覧者（対象者）の指定に応じて一部のバイタルデータ履歴に関連し適切な情報量の付加情報を表示すべく、本開示における健康管理システムは、画面に所定の対象者から逐次取得したバイタルデータに基づく表示を行う健康管理システムであって、前記バイタルデータについて取得の時を対応付けたバイタルデータ履歴を記憶するバイタルデータ記憶部と、複数の付加情報項目それぞれの優先度を定めた優先度情報を記憶する優先度情報記憶部と、画面中の第１領域及び第２領域の指定を受け付ける受付部と、前記受付部により指定が受け付けられた第１領域及び第２領域のサイズ並びに前記優先度情報に基づき、表示すべき付加情報項目を選定する選定部と、一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える健康管理システムである。ここで、バイタルデータ履歴とは、バイタルデータの測定値と測定日時とを１又は複数組含む情報である。また、バイタルデータとは、対象者について測定された血圧、血糖値、歩数或いは体重等といった健康状態の指標となり得る項目の測定値を含む情報である。また、付加情報項目は、バイタルデータ履歴に関連する情報である付加情報の種別（項目）を示す情報である。第２領域に関連する位置は、第２領域内部に限らず、その第２領域の周辺等であっても良い。なお、付加情報項目の選定は、例えば第１領域に対する第２領域の倍率（寸法比、面積比等）に基づいて行っても、第１領域と第２領域との大きさの差分（寸法の差、面積の差等）に基づいて行っても、倍率と第２領域のサイズとに基づいて行っても良い。また、バイタルデータに係る取得は、対象者の操作による入力の受領、対象者のバイタルデータを測定する測定装置からの受信等を含む。なお、「時」は、年、月、日、時刻等といった時間に関する全ての用語の上位概念である。
【００１２】
この健康管理システムによれば、表示される付加情報項目が指定された領域のサイズに基づいて選定されるため、指定に対応して適切な情報量の付加情報が表示され得るようになる。
【００１３】
ここで、例えば、前記選定部は、前記第２領域のサイズの前記第１領域のサイズに対する比である倍率に応じて前記優先度情報に基づき前記選定を行い、前記優先度情報は、倍率毎に付加情報項目を対応付けた情報であることとしても良い。
【００１４】
これにより、健康管理システムは、対象者が第１領域を拡大等して第２領域とした場合においてその倍率（拡大率）に応じて適切な情報量の付加情報を画面に表示し得るようになる。
【００１５】
また、例えば、前記表示部は、前記受付部により前記指定が受け付けられた場合には前記第２領域内に前記付加情報を表示し、前記選定部は、前記倍率が大きい程多くの付加情報項目を選定することとしても良い。
【００１６】
これにより、対象者が指定した第２領域内に付加情報が表示されるので、対象者は一定期間分のバイタルデータ履歴を確認しつつ指定により更に第２領域内でその領域のサイズに応じた量の付加情報を確認し得るようになる。
【００１７】
また、前記表示部は、前記第２領域のサイズに応じて前記付加情報の表示態様を決定し、決定した当該表示態様で当該付加情報を表示することとしても良い。
【００１８】
これにより、健康管理システムは、対象者が指定した第２領域内にその領域のサイズに応じた態様で適切に付加情報を表示し得るようになる。
【００１９】
また、前記選定部は、前記第２領域のサイズにも応じて、前記優先度情報に基づき前記選定を行うこととしても良い。
【００２０】
これにより、健康管理システムは、対象者が指定した第２領域内に表示するために適切な量の付加情報を表示し得るようになる。
【００２１】
また、前記表示部は、前記一定期間分の前記バイタルデータ履歴をグラフ形式で表示し、前記受付部により前記指定が受け付けられた場合には前記第２領域内に、前記グラフ形式の前記バイタルデータ履歴を前記比に係る前記倍率で拡大して表示することとしても良い。
【００２２】
これにより、対象者は、一定期間分のバイタルデータ履歴の全体的な傾向をグラフで容易に確認でき、指定によりグラフの一部を拡大して確認できるようになる。
【００２３】
また、前記健康管理システムは、前記第１領域に対応する部分の前記バイタルデータ履歴に基づいて、前記選定部により選定された付加情報項目についての分析情報を算出する分析部を備え、前記表示部が表示する前記付加情報は、前記分析部により算出された分析情報を含むこととしても良い。
【００２４】
これにより、対象者は、画面上でバイタルデータ履歴の分析情報を確認できるようになる。
【００２５】
また、前記健康管理システムは、相互に通信可能な前記バイタルデータ履歴を管理する管理装置と前記対象者から前記バイタルデータを取得する対象者用端末とを備え、前記対象者用端末は、前記画面と前記受付部と前記表示部とを有することとしても良い。
【００２６】
これにより、対象者は、対象者用端末の画面によりバイタルデータ履歴に関する情報を閲覧できるようになる。
【００２７】
また、前記管理装置は、前記バイタルデータ履歴を参照した指導者が前記対象者に向けた指導情報を入力するための指導者用端末と通信可能であり、当該指導者用端末から取得した当該指導情報を記憶するための指導情報記憶部を有し、前記表示部が表示する前記付加情報は、前記指導情報記憶部に記憶された前記指導情報を含むこととしても良い。
【００２８】
これにより、対象者は、指導者が指導者用端末から入力した指導情報を対象者用端末の画面により確認できるようになる。
【００２９】
また、前記優先度情報記憶部に記憶された前記優先度情報は前記指導者用端末から更新可能に構成されることとしても良い。
【００３０】
これにより、指導者は、対象者に対して表示される付加情報項目の優先順序を指定できるようになる。
【００３１】
また、本開示における端末装置は、画面に対象者から逐次取得したバイタルデータに基づく表示を行う端末装置であって、前記バイタルデータについて取得の時を対応付けたバイタルデータ履歴を記憶するバイタルデータ記憶部と、複数の付加情報項目それぞれの優先度を定めた優先度情報を記憶する優先度情報記憶部と、画面中の第１領域及び第２領域の指定を受け付ける受付部と、前記受付部により指定が受け付けられた第１領域及び第２領域のサイズ並びに前記優先度情報に基づき、表示すべき付加情報項目を選定する選定部と、一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える端末装置である。
【００３２】
また、本開示における表示方法は、端末装置の画面に対象者から逐次取得したバイタルデータに基づく表示を行う表示方法であって、前記バイタルデータについて取得の時を対応付けたバイタルデータ履歴を記憶し、一定期間分の前記バイタルデータ履歴を前記画面に表示し、複数の付加情報項目それぞれの優先度を定めた優先度情報を取得し、画面中の第１領域及び第２領域の指定を受け付け、前記指定が受け付けられた第１領域及び第２領域のサイズ並びに前記優先度情報に基づき、表示すべき付加情報項目を選定し、前記第２領域に関連する位置に、前記一定期間のうち前記第１領域に対応する一部分の前記バイタルデータ履歴に関連し、前記選定がなされた付加情報項目についての付加情報を表示する表示方法である。
【００３３】
また、本開示における端末装置に表示処理を行わせるための制御プログラムは、プロセッサを備える端末装置に、画面に対象者から逐次取得したバイタルデータに基づく表示を行う表示処理を実行させるための制御プログラムであって、前記表示処理は、前記バイタルデータについて取得の時を対応付けたバイタルデータ履歴を記憶するステップと、一定期間分の前記バイタルデータ履歴を前記画面に表示するステップと、複数の付加情報項目それぞれの優先度を定めた優先度情報を取得するステップと、画面中の第１領域及び第２領域の指定を受け付けるステップと、前記指定が受け付けられた第１領域及び第２領域のサイズ並びに前記優先度情報に基づき、表示すべき付加情報項目を選定するステップと、前記第２領域に関連する位置に、前記一定期間のうち前記第１領域に対応する一部分の前記バイタルデータ履歴に関連し、前記選定がなされた付加情報項目についての付加情報を表示するステップとを含む制御プログラムである。
【００３４】
これらにより、端末装置の画面に表示される付加情報項目が対象者に指定された領域のサイズに基づいて選定されるため、指定に対応して適切な情報量の付加情報が表示され得るようになる。
【００３５】
なお、これらの包括的又は具体的な各種態様には、装置、システム、方法、集積回路、コンピュータプログラム、コンピュータで読み取り可能な記録媒体等の１つ又は複数の組合せが含まれる。
【００３６】
以下、適宜図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるのを避け、当業者の理解を容易にするためである。
【００３７】
なお、発明者は、当業者が本開示を十分に理解するために図面及び以下の説明を提供するのであって、これらによって請求の範囲に記載の主題を限定することを意図するものではない。即ち、以下の具体例を用いた説明で示される数値、形状、材料、構成要素、構成要素の配置及び接続形態、並びに、ステップ（工程）及びステップの順序等は、一例であって、請求の範囲に記載の主題を限定するものではない。以下の実施の形態における構成要素のうち、独立請求項に記載されていない構成要素については、任意に付加可能な構成要素である。また、各図は、模式図であり、必ずしも厳密に図示されたものではない。
【００３８】
（実施の形態１）
実施の形態１では、主に、所定の対象者から取得したバイタルデータに基づく表示等を行うことで対象者の健康管理を支援する健康管理システム１について説明する。
【００３９】
以下、図１〜図９を用いて、実施の形態１を説明する。
【００４０】
［１−１．構成］
図１は、実施の形態１における健康管理システム１の概略構成図である。
【００４１】
健康管理システム１は同図に示すように、対象者用端末１００、管理装置２００及び指導者用端末３００と、これらの装置類を相互に通信可能に接続するネットワークであるインターネット回線網４００とを含んで構成される。なお、この各装置類の主なハードウェア構成の例を図２に示す。
【００４２】
対象者用端末１００は、対象者が操作するスマートフォン、タブレット等といった端末装置であり、メモリ（フラッシュメモリ１５０等）、プロセッサ（ＣＰＵ１２０）、入力装置及びディスプレイ装置（タッチパネル１６０）、通信インタフェース（Ｉ／Ｆ）１１０等を備える。通信Ｉ／Ｆ１１０は、インターネット回線網４００やその他の通信手段を介して、他の装置類との間で情報の授受を行なうように構成された通信回路等である。メモリはＲＯＭ、ＲＡＭ等である。メモリには後述する各機能部の処理を実現するための制御プログラムやその制御プログラムで利用するための設定値等が予め格納され、また、メモリは、制御プログラムのプロセッサによる実行に際して用いられる各値を一時的に格納するためにも用いられる。フラッシュメモリ１５０は、例えばＣＰＵ１２０によって演算された演算結果や、通信Ｉ／Ｆ１１０を介して取得した情報を一時的に保存する。この対象者用端末１００は、対象者のバイタルデータを測定する測定装置９０とＢｌｕｅｔｏｏｔｈ（登録商標）等の無線通信技術により通信可能である。なお、バイタルデータは、血圧、血糖値等の所謂生体情報や、歩数等の活動量の情報や、体重等の身体的特徴に係る情報等である。
【００４３】
管理装置２００は、メモリ、プロセッサ（ＣＰＵ２２０）、ハードディスク装置（ＨＤＤ）２３０等の比較的大容量の記憶媒体、通信Ｉ／Ｆ２１０等を備えるサーバである。通信Ｉ／Ｆ２１０は、インターネット回線網４００やその他の通信手段を介して、他の装置類との間で情報の授受を行なうように構成された通信回路等である。ＨＤＤ２３０は、例えば通信Ｉ／Ｆ２１０を介して取得した情報を保存する。
【００４４】
指導者用端末３００は、対象者に対して遠隔地から健康指導を行う者（指導者）が操作するＰＣ（Personal Computer）等の端末装置であり、メモリ（ＲＡＭ３３０等）、プロセッサ（ＣＰＵ３２０）、入力装置（キーボード３４０等）、ディスプレイ３５０、通信Ｉ／Ｆ３１０等を備える。通信Ｉ／Ｆ３１０は、インターネット回線網４００やその他の通信手段を介して、他の装置類との間で情報の授受を行なうように構成された通信回路等である。ＲＡＭ３３０は、例えば通信Ｉ／Ｆ３１０を介して取得した情報を一時的に保存する。
【００４５】
ここでは、対象者用端末１００は対象者に携帯されるスマートフォンであり、管理装置２００はサーバであり、指導者用端末３００はＰＣであることを想定して説明する。
【００４６】
この健康管理システム１の利用の一例は、例えば次のようなものとなる。
【００４７】
まず、対象者について測定されたバイタルデータ及び測定日時の情報は、対象者がタッチパネル１６０を介して入力する又は測定装置９０が送信する等により対象者用端末１００に受け付けられる。そして、そのバイタルデータ等が対象者用端末１００から管理装置２００に送られて例えばＨＤＤ２３０にバイタルデータ履歴として蓄積（登録）される。例えばバイタルデータ履歴はデータベースで管理される。バイタルデータには、対象者について例えば測定装置９０等により測定された血圧、血糖値、歩数或いは体重等といった健康状態の指標となり得る項目の測定値が含まれる。管理装置２００に蓄積されるバイタルデータ履歴としては、バイタルデータの測定値と測定日時とが含まれ、更に、対象者を識別する情報（対象者ラベル）、バイタルデータの項目を識別する情報（バイタル項目ラベル）等の情報が含まれることとしても良い。例えば、対象者Ａが、２０１４年０２月１７日１０時００分に測定した６０．０ｋｇという体重を入力した場合、「対象者ラベル：Ａ、バイタル項目ラベル：体重、測定値：６０．０、測定日時：２０１４年０２月１７日１０時００分」というデータ（データレコード）がバイタルデータ履歴を構成する情報として管理装置２００に追加される。
【００４８】
指導者は、管理装置２００から対象者のバイタルデータ等を指導者用端末３００にダウンロードして閲覧する。指導者は必要であれば面談、電話等（例えばインターネット回線網４００を介したビデオ通話、管理装置２００を経由した指導情報の伝達等）で個々の対象者に対して病気予防等のための健康指導を行う。そして、その健康指導の内容を指導者用端末３００に入力して、指導情報として管理装置２００にアップロードして登録する。健康管理システム１は、図１等では対象者用端末を１台しか図示していないが、対象者毎に対象者用端末を含んだ構成とすることができ、例えば１名の指導者が、２０〜３０人程度の対象者を指導するような運用が可能である。なお、指導情報とは、指導者が、対象者のバイタルデータを参照してアドバイスした、病気予防や健康維持のためのコメントや、バイタルデータの目標値等を含む情報である。指導情報は、バイタルデータ履歴における指導者が参照したいずれかのデータレコード（バイタルデータ等）と関連付けられた状態で管理装置２００の例えばＨＤＤ２３０によって記録（登録）される。また、指導者は、アップロードにより指導情報を管理装置２００に記録（登録）することができる他、各対象者に対しての優先度情報を管理装置２００に記録（登録）することができる。
【００４９】
そして、対象者がバイタルデータ履歴（今までの測定結果）を閲覧したいときに対象者用端末１００を操作すると、管理装置２００からダウンロードされた一定期間分のバイタルデータ履歴がグラフ形式で対象者用端末１００の画面（メイン画面）に表示される。対象者は、対象者用端末１００を操作して、対象者用端末１００の画面（メイン画面）の一領域（サブ画面）に一部のバイタルデータ履歴のグラフを拡大表示させると共に付加情報を表示させ、これらを閲覧する。このサブ画面に表示される付加情報（平均値等といったバイタルデータの分析結果や指導者に入力された指導情報等）についての種別（項目）は、優先度情報に基づいて定まる。
【００５０】
優先度情報とは、サブ画面に表示され得る付加情報の各項目についての優先度を示す情報である。この優先度情報の一例であるテーブルを図３に示す。同図に示したように、例えば血圧についてサブ画面で表示され得る付加情報の項目（付加情報項目）としては、優先度が高い順に、分析情報１（平均値）、指導情報１（指導コメント）、指導情報２（目標値）、測定値及び測定日時がある。対象者が、画面の一部領域を指定して領域を拡大する操作を行うと、つまり画面に表示された一定期間分のバイタルデータ履歴のグラフの一部（一部の期間）を指定して拡大する操作を行うと、その倍率（拡大率）に応じてどの優先度の付加情報項目まで表示するかが定まる。倍率が小さい程、サブ画面に表示される付加情報項目は少なくなり、つまり、高い優先度の付加情報項目だけしか表示されなくなり、倍率が大きい程、低い優先度の付加情報項目までも表示されることとなる。例えば、図３に示した優先度情報の例に基づくと、血圧のグラフの一部が指定されて拡大された場合、倍率が小さいと、拡大されたグラフと共に分析情報１（平均値）が表示され、倍率が少し大きくなると、拡大されたグラフと共に分析情報１（平均値）及び指導情報２（目標値）が表示され、倍率が更に大きくなると、拡大されたグラフと共に分析情報１（平均値）、指導情報２（目標値）及び指導情報１（指導コメント）が表示される。そして、最大級に倍率が大きくなると、拡大されたグラフと共に、分析情報１（平均値）、指導情報２（目標値）、指導情報１（指導コメント）、測定値及び測定日時が表示される。測定値及び測定日時は、指定された期間内の測定日時毎に値を有するので、複数個、表示され得る。倍率に対してどの優先度までを表示するかは例えばテーブルや計算式等によって予め対応付けられている。このテーブル（倍率テーブル）の例を図４に示す。図４での最低優先度は、どの優先度まで表示するかを示し、最低優先度が３であれば、優先度１〜３までの付加情報項目を表示することを意味する。図４の例では、例えば倍率が２倍であれば、最低優先度が４となり、優先度１〜４まで付加情報項目を表示することになる。この倍率テーブルは、倍率が大きくなると付加情報項目の量を増大させるような関係となるように構成されている。また、分析情報は、管理装置２００からダウンロードしたバイタルデータ履歴に基づいて対象者用端末１００において例えばＣＰＵ１２０により算出される情報である。この分析情報は、例えば、指定された期間の平均値（分析情報１）、最大値（分析情報２）、最小値（分析情報３）、傾向（分析情報４）、或いは、相関性の高い他のバイタルデータ履歴についての平均値（分析情報５）等である。ここで、傾向とは、指定された期間においてバイタルデータの測定値が上昇傾向にあるか下降傾向にあるか等を示す指標である。また、相関性の高い他のバイタルデータ履歴とは、例えば体重に対する歩数のデータを指す。例えば、図３に示す体重についての優先度３の付加情報項目に基づいて、対象者用端末１００は、対象者が体重のグラフを十分な倍率に拡大した場合に、指定された期間の歩数の平均値をサブ画面に表示する。なお、付加情報は、図３に例示した項目（付加情報項目）から明らかなように分析情報、指導情報及び測定値等といったバイタルデータ履歴に関連する情報である。
【００５１】
以下、上述した健康管理システム１を構成する各装置類について詳細に説明する。
【００５２】
図５は、健康管理システム１の機能ブロック図である。
【００５３】
［１−１−１．対象者用端末の機能構成］
対象者用端末１００は、機能面では図５に示すように、通信部１１１、制御部１２１及び入出力部１６１を備える。以下、これらの各機能部（機能構成要素）について説明する。
【００５４】
通信部１１１は、管理装置２００に登録されたバイタルデータ、指導情報及び優先度情報を取得し、制御部１２１へ伝達し、また、逐次入力されるバイタルデータに基づきバイタルデータ履歴を管理装置２００へ送信（アップロード）する機能を有する。通信部１１１は、バイタルデータが測定装置９０から送信された場合にはこれを受信して取得して、そのバイタルデータに基づきバイタルデータ履歴を管理装置２００へ送信する機能を有することとしても良い。この通信部１１１は、メモリに格納された制御プログラムを実行するプロセッサ（ＣＰＵ１２０）の制御下で動作する通信Ｉ／Ｆ１１０により実現される。なお、通信部１１１はバイタルデータ履歴を、バイタルデータが取得される都度送信しても、一定量のバイタルデータ履歴をまとめて送信しても良い。
【００５５】
制御部１２１は、対象者用端末１００内の各種制御及び演算を行う機能を有し、データ取得部１２６、入力検出部１３１、演算部１３６及び画面生成部１４１を有する。この制御部１２１は、メモリに格納された制御プログラムを実行するプロセッサ（ＣＰＵ１２０）及びメモリ（フラッシュメモリ１５０等）により実現される。ここで、データ取得部１２６は、通信部１１１を介してデータを取得する機能を担い、バイタルデータ取得部１２７、指導情報取得部１２８及び優先度情報取得部１２９を有する。入力検出部１３１は、対象者による操作を検出する機能を担い、領域検出部１３２及び倍率検出部１３３を有する。演算部１３６は、対象者による操作に応じて出力すべき情報を選択し演算する機能を担い、分析情報算出部１３７及び表示選択部１３８を有する。画面生成部１４１は、ディスプレイ装置（タッチパネル１６０）に出力すべき画面（メイン画面及びサブ画面）を生成する機能を担い、メイン画面生成部１４２及びサブ画面生成部１４３を有する。
【００５６】
バイタルデータ取得部１２７は、通信部１１１を通じて管理装置２００からバイタルデータ履歴を取得してフラッシュメモリ１５０等のメモリの一領域に格納し、バイタルデータ履歴を分析情報算出部１３７及び画面生成部１４１に伝達する機能を有する。
【００５７】
指導情報取得部１２８は、通信部１１１を通じて管理装置２００から指導情報を取得してフラッシュメモリ１５０等のメモリの一領域に格納し、指導情報を表示選択部１３８に伝達する機能を有する。
【００５８】
優先度情報取得部１２９は、通信部１１１を通じて管理装置２００から優先度情報を取得してフラッシュメモリ１５０等のメモリの一領域に格納し、優先度情報を表示選択部１３８へ伝達する機能を有する。
【００５９】
入出力部１６１は、画面生成部１４１により生成されたメイン画面等（一定期間分のバイタルデータ履歴のグラフ等）を表示する出力機能と、対象者によるバイタルデータ履歴のグラフに対する領域指定（タップ）、拡大（ピンチアウト）或いは縮小（ピンチイン）等の操作を受け付ける入力機能とを有する。この入出力部１６１は、入力装置及びディスプレイ装置（例えばタッチパネル１６０）により実現される。
【００６０】
領域検出部１３２は、入出力部１６１にて受付けた、画面に表示されたグラフの一部領域の指定操作から、拡大又は縮小の対象となる領域及び期間を検出する機能を有する。具体的には、対象者が、入出力部１６１に出力されたメイン画面において、１ヶ月間のグラフのうち、１週間に相当する領域を２本の指でタップして指定した場合、領域検出部１３２は、タップされた２点の位置を検出し、２点で囲まれる領域の範囲（大きさ）、及び、２点間に相当する指定期間（１週間）を検出する。領域検出部１３２は、更に、拡大又は縮小された後の領域を検出する機能を有する。具体的には、対象者が、ピンチアウト（２本の指の間隔を広げる）又はピンチイン（２本の指の間隔を狭める）の操作を行った場合、入出力部１６１上での２本の指の位置を検出し、操作（ピンチアウト又はピンチイン）後における２本の指の位置（２点の位置）で囲まれる領域の範囲（大きさ）を検出する。なお、この操作後の領域の範囲がサブ画面でありこのサブ画面内に拡大（縮小）されたグラフと付加情報とが表示されることになる。
【００６１】
倍率検出部１３３は、領域検出部１３２にて検出した拡大又は縮小の対象となる領域の範囲（大きさ）に対する拡大後又は縮小後の領域の範囲（大きさ）の比である倍率（寸法比）を算出することで検出する機能を有する。具体的には、対象者が、ピンチアウト（２本の指の間隔を広げる）又はピンチイン（２本の指の間隔を狭める）の操作を行った場合、操作（ピンチアウト又はピンチイン）前後での寸法比を検出する。領域検出部１３２により検出された指定期間に関する情報と、倍率検出部１３３により検出された倍率の情報とは、表示選択部１３８に伝達される。
【００６２】
分析情報算出部１３７は、表示選択部１３８からの指定期間に関する指示とバイタルデータ取得部１２７から取得したバイタルデータ履歴とに基づいて分析情報を算出する。分析情報としては、指定期間の平均値（つまりバイタルデータ履歴における指定期間内に測定された測定値の平均値）、指定期間の最大値、指定期間の最小値、指定期間の傾向（上昇傾向、下降傾向、横ばい等）、相関性の高い他のバイタルデータの指定期間の平均値等がある。
【００６３】
表示選択部１３８は、倍率検出部１３３から取得した領域の拡大（縮小）に係る倍率と、優先度情報取得部１２９から取得した優先度情報とを参照して、サブ画面内に拡大されたグラフと共に表示する付加情報の項目（付加情報項目）を選定する機能を有する。また、表示選択部１３８は更に、バイタルデータ取得部１２７、指導情報取得部１２８又は分析情報算出部１３７へ、選定した付加情報を出力するよう指示することにより、バイタルデータ取得部１２７、指導情報取得部１２８又は分析情報算出部１３７から取得した付加情報をサブ画面生成部１４３へ伝達する機能を有する。
【００６４】
メイン画面生成部１４２は、バイタルデータ取得部１２７から取得したバイタルデータ履歴に基づいて、入出力部１６１にて表示するためにグラフ形式で表したバイタルデータ履歴を含むメイン画面を生成する機能を有する。グラフ形式で表すとは、例えばバイタルデータ（測定値）の測定日時を横軸にし、測定値を縦軸としたグラフで表すことである。メイン画面は、例えばディスプレイ装置（タッチパネル１６０）の画面全域に亘って表示される内容となる。
【００６５】
サブ画面生成部１４３は、メイン画面が表示されている間における対象者によるピンチアウト或いはピンチインの操作に応じて、メイン画面の一部領域に重畳的に表示するサブ画面を生成する機能を有する。サブ画面は、対象者によるピンチアウト等の操作後の拡大（縮小）された領域に相当する。このサブ画面には、拡大又は縮小されたグラフと共に表示選択部１３８から取得した付加情報が表示される。
【００６６】
［１−１−２．管理装置の機能構成］
管理装置２００は、機能面では図５に示すように、通信部２１１、制御部２２１、バイタルデータ記憶部２３１、指導情報記憶部２３２及び優先度情報記憶部２３３を備える。以下、これらの各機能構成要素について説明する。
【００６７】
通信部２１１は、対象者用端末１００及び指導者用端末３００と通信する機能を担い、メモリに格納された制御プログラムを実行するプロセッサ（ＣＰＵ２２０）の制御下で動作する通信Ｉ／Ｆ２１０により実現される。
【００６８】
制御部２２１は、管理装置２００内の各種制御を行う機能を有し、メモリに格納された制御プログラムを実行するプロセッサ（ＣＰＵ２２０）により実現される。
【００６９】
バイタルデータ記憶部２３１は、ＨＤＤ２３０の記憶媒体の一領域により実現され、対象者によって登録されたバイタルデータ履歴を記憶（蓄積）する機能を有する。このバイタルデータ記憶部２３１は、１以上の対象者各々についてのバイタルデータ履歴を記憶し、例えば、各対象者用端末からバイタルデータ履歴を取得する際に対象者ラベルを取得して、各対象者を識別して対象者毎にバイタルデータ履歴を管理する。
【００７０】
指導情報記憶部２３２は、ＨＤＤ２３０の記憶媒体の一領域により実現され、指導者によって登録された指導情報を記憶（蓄積）する機能を有する。この指導情報記憶部２３２は、１以上の対象者各々についての指導情報を記憶し、指導者用端末３００から指導情報が登録される際に対象者ラベルを取得して、各対象者を識別して対象者毎に指導情報を管理する。なお、指導情報は、その指導情報を登録した指導者を識別するための識別情報を関連付けて管理されても良い。
【００７１】
優先度情報記憶部２３３は、ＨＤＤ２３０の記憶媒体の一領域により実現され、予め定められた、又は、指導者によって登録された優先度情報を記憶（蓄積）する機能を有する。この優先度情報記憶部２３３は、１以上の対象者各々についての優先度情報を記憶する。複数の対象者に共通して利用され得る優先度情報の基本パターンが、血圧が高め、メタボリックシンドローム或いは糖尿病予備軍等といった症状毎に予め複数個用意され、対象者毎にいずれかの基本パターンが優先度情報として設定されることとしても良い。また、対象者毎に独立して優先度情報の内容が設定されることとしても良い。なお、対象者毎の優先度情報は、対象者を識別する対象者ラベルと関連付けて管理される。
【００７２】
［１−１−３．指導者用端末の機能構成］
指導者用端末３００は、機能面では図５に示すように、通信部３１１、制御部３２１、入力部３４１及び出力部３５１を備える。以下、これらの各機能構成要素について説明する。
【００７３】
通信部３１１は、管理装置２００と通信する機能、具体的には管理装置２００に登録されたバイタルデータ履歴を取得して制御部３２１に伝達して制御部３２１から取得した指導情報及び優先度情報を管理装置２００へ送信する機能を担う。この通信部３１１は、メモリに格納された制御プログラムを実行するプロセッサ（ＣＰＵ３２０）の制御下で動作する通信Ｉ／Ｆ３１０により実現される。
【００７４】
制御部３２１は、指導者用端末３００内の各種制御を行なう機能を有し、メモリに格納された制御プログラムを実行するプロセッサ（ＣＰＵ３２０）及びメモリ（ＲＡＭ３３０等）により実現される。この制御部３２１は、バイタルデータ取得部３２２、指導情報保持部３２３及び優先度情報保持部３２４を有する。
【００７５】
バイタルデータ取得部３２２は、通信部３１１を通じて管理装置２００から対象者のバイタルデータ履歴を取得し、取得したバイタルデータ履歴を出力部３５１に伝達する機能を有する。
【００７６】
指導情報保持部３２３は、入力部３４１から指導者によって入力された指導情報（対象者のバイタルデータ履歴に基づいて行った健康指導に関する情報）を、取得して一時的に保持して通信部３１１を介して管理装置２００に送信する機能を有する。この送信は、指導者が一時的に保持された指導情報に間違えがないか等を確認した後に行う指示に従ってなされる。
【００７７】
優先度情報保持部３２４は、指導者によって対象者向けの優先度情報が変更された場合に優先度情報を入力部３４１から取得し、取得した優先度情報を一時的に保持して通信部３１１を介して管理装置２００に送信する機能を有する。この送信は、指導者が一時的に保持された優先度情報に間違えがないか等を確認した後に行う指示に従ってなされる。
【００７８】
入力部３４１は、入力装置（キーボード３４０等）により実現され、指導者からの入力操作を受け付ける機能を有する。この入力部３４１は、指導者が入力した指導情報や優先度情報を受け付け、入力された指導情報及び優先度情報を指導情報保持部３２３及び優先度情報保持部３２４に伝達する。
【００７９】
出力部３５１は、ディスプレイ３５０等により実現され、バイタルデータ取得部３２２により通信部３１１を通じて管理装置２００から取得された対象者のバイタルデータ履歴等を表示又は出力する機能を有する。
【００８０】
［１−２．動作］
以下、上述の構成を備える健康管理システム１の動作について説明する。
【００８１】
［１−２−１．対象者用端末に関連した動作］
対象者用端末１００では、対象者による入力や測定装置９０からの受信により、対象者についての測定結果であるバイタルデータが取得される。そして、対象者用端末１００は、取得したバイタルデータについてのバイタルデータ履歴を管理装置２００に送信する。管理装置２００では、バイタルデータ履歴が蓄積され管理されている。
【００８２】
対象者が、今までの測定結果（バイタルデータ履歴）を閲覧する場合には、対象者用端末は、バイタルデータ履歴の表示処理を実行する。ここでは、血圧の測定結果について表示する例について図３の優先度情報、図４の倍率テーブルの例を用いて説明する。
【００８３】
図６は、バイタルデータ履歴の表示処理を示すフローチャートである。以下、図６のフローチャートに即して対象者用端末１００におけるバイタルデータ履歴の表示処理を説明する。
【００８４】
まず、対象者用端末１００は、通信部１１１及びバイタルデータ取得部１２７により管理装置２００のバイタルデータ記憶部２３１に登録されたバイタルデータ履歴を取得する（ステップＳ１）。次に、メイン画面生成部１４２は、バイタルデータ取得部１２７から一定期間分（例えば今月分）のバイタルデータ履歴を得てグラフ形成で表し、そのグラフを含むメイン画面を生成する（ステップＳ２）。なお、一定期間は、対象者の操作に応じて変更される。続いて、対象者用端末１００は、入出力部１６１によりメイン画面を表示する（ステップＳ３）。これにより、対象者用端末１００のタッチパネル１６０等の画面に、一定期間内のバイタルデータの測定日時を横軸にしてバイタルデータ（血圧の測定値）を縦軸にしたグラフが表示されることになる。
【００８５】
そして、バイタルデータ履歴のグラフを閲覧している対象者がタッチパネル１６０上のメイン画面のある領域を２本指でタップして指定することで、その領域に表示されていたグラフに係る一部の期間の指定を行った場合には、入出力部１６１は、この指定を受け付ける（ステップＳ４）。そして、この後に領域の拡大（縮小）の操作があれば（ステップＳ５）、即ち対象者により２本指でピンチアウト（拡大）又はピンチイン（縮小）という操作がなされると、入出力部１６１はこの操作を受け付け、対象者用端末１００は次のステップＳ６での処理に移行する。
【００８６】
即ち、領域検出部１３２が、対象者にタップされた２点の位置から指定された領域の範囲と対応する指定期間と拡大又は縮小後の領域の範囲とを検出し、倍率検出部１３３が、倍率を算出する（ステップＳ６）。そして、優先度情報取得部１２９が管理装置２００から優先度情報を取得し（ステップＳ７）、表示選択部１３８は、優先度情報取得部１２９から取得した優先度情報に基づき、倍率検出部１３３により算出された倍率に応じてサブ画面に表示すべき付加情報項目を選定する（ステップＳ８）。なお、ステップＳ７での優先度情報の取得は、ステップＳ１でのバイタルデータ履歴の取得と同じタイミングで１回行うこととしても良い。
【００８７】
図７は、対象者に領域の指定がなされピンチアウト（拡大）の操作が始められた直後の状態の画面例を示す。同図のメイン画面５００において２本指のそれぞれでタップされた位置が位置５１１及び位置５１２である。領域検出部１３２は、このタップがなされた位置５１１及び位置５１２を直径とする円形の指定領域５１０（サブ画面）を求め、血圧のグラフの横軸（測定日時）において指定領域５１０に外接する垂線５１３、５１４の間隔に相当する期間（例えば２月１１日から２月１７日までの１週間）を指定期間として検出する。なお、指定領域５１０は、指定期間を日付単位で指定できるように、横軸の日付単位のグリッドにフィッティングさせることとしても良い。また、グリッドへのフィッティングを行わなくても位置を日付単位に丸める演算を用いて指定期間を検出しても良い。
【００８８】
ピンチアウト（拡大）の操作が始められたばかりの状態であれば倍率は略１であるので、図４の倍率テーブルの例によれば最低優先度は１であり、図３の優先度情報の例によれば、血圧についての優先度１は、分析情報１（平均値）である。従って、表示選択部１３８は、分析情報１（平均値）を表示すべき付加情報項目として選定する。
【００８９】
表示選択部１３８は、付加情報項目を選定した後に、その選定した付加情報項目に応じてサブ画面に含ませる付加情報を特定する（ステップＳ９）。即ち、表示選択部１３８は、付加情報項目が測定値又は測定日時であればバイタルデータ取得部１２７を介して取得したバイタルデータ履歴から測定値又は測定日時を取得して特定する。また、付加情報項目が指導情報であれば指導情報取得部１２８を介して指導情報を取得して特定する。また、付加情報項目が分析情報であれば分析情報算出部１３７により算出された分析情報を取得して特定する。
【００９０】
ここでは、分析情報１（平均値）が表示選択部１３８により表示すべき付加情報として選定されたとして説明を続ける。分析情報算出部１３７は、指定期間（例えば２月１１日から２月１７日まで）のバイタルデータ履歴に基づいてその平均値である分析情報１を算出し、これを表示選択部１３８は表示すべき付加情報として特定する（ステップＳ９）。なお、分析情報算出部１３７は、指定期間に基づいて、各分析情報（平均値、最大値、最小値、傾向等）のうち少なくとも表示すべき付加情報項目として選定されたものを算出する。
【００９１】
サブ画面生成部１４３は、バイタルデータ取得部１２７から取得した指定期間のバイタルデータ履歴に基づき倍率に従ってバイタルデータ履歴のグラフを拡大して表すとともに表示選択部１３８から取得した付加情報である分析情報１（平均値）を表すサブ画面を生成する（ステップＳ１０）。これによりサブ画面には、付加情報とサブ画面の大きさ（拡大された指定領域）に合わせたグラフとが含まれることになる。入出力部１６１は、サブ画面生成部１４３により生成されたサブ画面をメイン画面に重畳して表示する（ステップＳ１１）。この結果として、図７で示すように、指定領域５１０（サブ画面）内にはグラフとともに平均値が表示されることになる。
【００９２】
また、対象者がそのタップした２本指のピンチアウト（拡大）を続けた場合には（ステップＳ５）、領域検出部１３２及び倍率検出部１３３の働きにより、拡大後の領域の範囲が検出されて倍率が算出される（ステップＳ６）。ここでは、対象者のピンチアウトにより指定領域が１．８倍に拡大されたものとして説明を続ける。表示選択部１３８は、優先度情報取得部１２９から取得した優先度情報に基づき、１．８倍に応じて表示すべき付加情報項目を選定する（ステップＳ８）。図４の倍率テーブルの例によれば１．８倍に対応する最低優先度が３であるため、血圧についての優先度１〜３の付加情報項目を選定することとなる。従って、図３の優先度情報の例によれば、表示選択部１３８は、優先度１の分析情報１（平均値）と優先度２の指導情報２（目標値）と優先度３の指導情報１（指導コメント）とを選定する。そして、分析情報算出部１３７は、指定期間（例えば２月１１日から２月１７日まで）のバイタルデータ履歴に基づいて平均値を算出し及びその指定期間内に対応する指導情報の目標値と指導コメントとを管理装置２００から指導情報取得部１２８を介して取得する。なお、指導情報取得部１２８は、表示選択部１３８からの指示に応じて管理装置２００から指導情報を取得する代わりに、ステップＳ１でのバイタルデータ履歴の取得と同じタイミングで１回取得して保持することとしても良い。表示選択部１３８は、分析情報算出部１３７から取得した平均値、指導情報取得部１２８から取得した指導コメント及び目標値をサブ画面生成部１４３へ伝達する。
【００９３】
サブ画面生成部１４３は、１．８倍にバイタルデータ履歴のグラフを拡大して表すとともに付加情報である分析情報１（平均値）、指導情報２（目標値）及び指導情報１（指導コメント）を表すサブ画面を生成する（ステップＳ１０）。そして入出力部１６１は、そのサブ画面をメイン画面に重畳して表示する（ステップＳ１１）。この状態での画面例を図８に示す。図８に示すように、対象者にピンチアウトの操作で指定された指定領域５１０（サブ画面）内には、メイン画面５００で表示されたグラフの一部が１．８倍に拡大されて表示されており、付加情報である平均値、目標値及び指導コメントが表示されている。
【００９４】
なお、対象者が２本指でタッチパネル１６０をタップした後にタップした指をタッチパネル１６０から離したら図６のステップＳ４に戻り、新たにタップ（領域の指定）がなされるのを待つこととしても良い。なお、新たなタップに対応してサブ画面を表示する際に既に表示していたサブ画面を消去することとしても良い。
【００９５】
このような表示処理により、対象者はメイン画面においてグラフからバイタルデータの経時的変化の全体的な傾向を把握しつつ、サブ画面で一部の期間についての詳細な情報を確認することができるようになる。そして、倍率に応じて付加情報項目の量が変化するため、対象者はピンチアウトの操作により拡大する程度を調整することで、必要な情報を確認することができるようになる。付加情報項目には、測定値、測定日時及び指導情報等のように指定期間の範囲が広くなれば付加情報の情報量が増加するものが含まれているため、倍率に応じて表示される付加情報項目の量を調整することは有用である。サブ画面生成部１４３がサブ画面に表示する付加情報項目の量は、倍率と対応するため、ある領域（指定期間）を対象者が少し拡大したときに表示されるサブ画面よりも、更に大きく拡大したときのサブ画面の方が広くなり多くの付加情報が表示されるようになる。なお、サブ画面生成部１４３は、表示選択部１３８が選定した付加情報項目の付加情報の全てがサブ画面の領域内に収まるように、付加情報の表示態様（文字の間隔、フォント種別、フォントサイズ等）を調整することとしても良い。この調整は、例えば、全ての付加情報（付加情報を構成する文字列）がサブ画面の領域内に収まる範囲で最大のフォントサイズを用いるようにしても良い。
【００９６】
［１−２−２．指導者用端末に関連した動作］
指導者用端末３００は、指導者による操作に応じて、優先度情報又は指導情報の入力を受け付けて管理装置２００に送信する機能を有する。
【００９７】
図９は、指導者用端末３００の動作を示すフローチャートである。以下、図９に即して、指導者用端末３００の動作を説明する。
【００９８】
まず、指導者用端末３００は、入力部３４１により特定の対象者を指定する指導者の操作を受け付け、この操作に応じて、バイタルデータ取得部３２２により指導者が閲覧を望む特定の対象者のバイタルデータ履歴を管理装置２００から取得する（ステップＳ２１）。また、指導者用端末３００は、その特定の対象者に係る優先度情報を管理装置２００から取得し（ステップＳ２２）、出力部３５１によりバイタルデータ履歴及び優先度情報を表示する（ステップＳ２３）。バイタルデータ履歴及び優先度情報の表示の態様は、例えば表形式等、いかなる態様であっても良い。例えば、バイタルデータ履歴をグラフ形式で表示しても良い。これにより、指導者は指導者用端末３００のディスプレイ３５０に表示された特定の対象者についてのバイタルデータ履歴及び優先度情報を閲覧することができる。
【００９９】
指導者により指導情報の入力があった場合には、即ち指導者用端末３００の入力部３４１が指導者による指導情報の入力を受け付けた場合には（ステップＳ２４）、その指導情報を指導情報保持部３２３に一時的に保持して指導者による指示に応じてその指導情報を管理装置２００に送信する（ステップＳ２５）。これにより管理装置２００の指導情報記憶部２３２に指導情報が蓄積される。
【０１００】
また、指導者による優先度情報の変更指示があった場合には、即ち指導者用端末３００の入力部３４１が指導者による優先度情報の変更指示（及び変更後の優先度情報）を受け付けた場合には（ステップＳ２６）、その変更後の優先度情報を優先度情報保持部３２４に一時的に保持する。そして指導者による指示に応じてその保持した優先度情報を管理装置２００に送信することで、優先度情報の更新を行う（ステップＳ２７）。これにより管理装置２００の優先度情報記憶部２３３に更新後の優先度情報が格納される。このように、優先度情報を更新することで、指導者は、特定の対象者に見せるべき各種付加情報についての優先順序を定めることができるようになる。
【０１０１】
［１−３．効果等］
以上のように、本実施の形態において、対象者用端末１００の画面に対象者から逐次取得したバイタルデータに基づく表示を行う健康管理システム１は、バイタルデータについて取得の時を対応付けたバイタルデータ履歴を記憶するバイタルデータ記憶部２３１と、複数の付加情報項目それぞれの優先度を定めた優先度情報を記憶する優先度情報記憶部２３３と、対象者による画面中の第１領域及び第２領域の指定を受け付ける入出力部１６１と、指定が受け付けられた第１領域及び第２領域のサイズ並びに優先度情報に基づき表示すべき付加情報項目を選定する表示選択部１３８とを備え、入出力部１６１は、一定期間分のバイタルデータ履歴を画面に表示し、対象者による指定が受け付けられた場合には第２領域に関連する位置に、その一定期間のうち第１領域に対応する一部分のバイタルデータ履歴に関連し、選定された付加情報項目についての付加情報を表示する。
【０１０２】
これにより、表示選択部１３８は、例えば指導者用端末３００から管理装置２００に登録された優先度情報に基づいて、指定領域の倍率に応じて、段階的に表示する付加情報項目の量を変更することができる。従って、対象者は、指定領域を拡大する操作によって定まる倍率及び優先度情報に関連して選定される項目についての付加情報を適宜確認することができるようになる。
【０１０３】
（他の実施の形態）
以上のように、本出願において開示する技術の例示として、実施の形態１を説明した。しかしながら、本開示における技術は、これに限定されず、適宜、変更、置き換え、付加、省略等を行った実施の形態にも適用可能である。また、実施の形態１で説明した各構成要素を組み合わせて、新たな実施の形態とすることも可能である。
【０１０４】
以下、他の実施の形態に係る健康管理システム１ａについて説明する。
【０１０５】
図１０は、他の実施の形態に係る健康管理システム１ａの機能ブロック図である。同図に示した健康管理システム１ａは、実施の形態１で示した健康管理システム１の機能構成（図５参照）を一部変形し、指導者用端末を包含しない構成としている。健康管理システム１ａの構成要素のうち健康管理システム１と同じものについては、実施の形態１で説明した構成要素と同一の符号を付しており、ここでは詳しい説明を省略する。
【０１０６】
健康管理システム１ａは、管理装置２００ａ及び対象者用端末１００ａを備える。管理装置２００ａは、実施の形態１で示した管理装置２００と同じハードウェア構成を有し、機能面では、バイタルデータ記憶部２３１、指導情報記憶部２３２及び優先度情報記憶部２３３を有する。この管理装置２００ａは、対象者用端末１００ａ及び健康管理システム１ａの外部の指導者用端末３００ａと通信可能である。指導者用端末３００ａは、健康管理システム１における指導者用端末３００と基本的に同じ構成である。指導者用端末３００ａは、指導者の指示に応じて、管理装置２００ａからバイタルデータ履歴をダウンロードし、管理装置２００ａの指導情報記憶部２３２へ指導情報をアップロードし、優先度情報記憶部２３３に格納された優先度情報を更新する機能を有する。
【０１０７】
対象者用端末１００ａは、実施の形態１で示した対象者用端末１００と同じハードウェア構成を有し、機能面では、受付部１０１、選定部１０２、分析部１０３及び表示部１０４を有する。ここで、受付部１０１は、対象者による画面中の第１領域及び第２領域の指定を受け付ける機能を有する。例えば、第１領域は対象者にタッチパネル上でタップされた２点を直径とする円形の領域、その２点を対角とする矩形の領域等であり、また第２領域は、そのタップされた２点をピンチアウト（拡大）又はピンチイン（縮小）されたことに対応する円、矩形等である。この受付部１０１の一例は、実施の形態１における入出力部１６１、入力検出部１３１等である。選定部１０２は、受付部１０１により指定が受け付けられた第１領域及び第２領域のサイズ並びに優先度情報記憶部２３３から取得した優先度情報に基づき、表示すべき付加情報項目を選定する機能を有する。選定部１０２は、第２領域のサイズの第１領域のサイズに対する比である倍率に応じて選定を行っても良いし、更に第２領域のサイズにも応じて選定（例えば同じ倍率でも第２領域のサイズが小さい程選定する付加情報項目を少なくする等）を行っても良いし、第１領域と第２領域との大きさの差分（寸法の差、面積の差等）に基づいて選定（例えば差分が大きい程選定する付加情報項目を多くする等）を行っても良い。この選定部１０２の一例は、実施の形態１における表示選択部１３８である。また、分析部１０３は、第１領域に対応する部分のバイタルデータ履歴に基づいて、選定部１０２により選定された付加情報項目についての分析情報を算出する。この分析部１０３の一例は、実施の形態１における分析情報算出部１３７である。また、表示部１０４は、一定期間分のバイタルデータ履歴を画面に表示する機能を有する。表示部１０４は更に、受付部１０１により指定が受け付けられた場合には第２領域に関連する位置に、一定期間のうち第１領域に対応する一部分のバイタルデータ履歴に関連し選定部１０２により選定された付加情報項目についての付加情報を表示する機能を有する。第２領域に関連する位置は、例えば第２領域内部、或いはその第２領域から一定範囲内の周辺領域等である。この付加情報の表示においては、第２領域のサイズに応じて付加情報の表示態様（フォントサイズ、文字間隔等）を決定してその態様で表示しても良い。この表示部１０４の一例は、実施の形態１における画面生成部１４１及び入出力部１６１である。
【０１０８】
以下、他の実施の形態としての健康管理システムにおいて対象者に用いられる端末装置１００ｂについて説明する。
【０１０９】
図１１は、他の実施の形態に係る健康管理システムにおける端末装置の機能ブロック図である。同図に示す端末装置１００ｂは、スマートフォン、タブレット等といった端末装置であり、メモリ、プロセッサ、入力装置及びディスプレイ装置、通信Ｉ／Ｆ等を備える。端末装置１００ｂは、機能面では、バイタルデータ記憶部２３１ａ、優先度情報記憶部２３３ａ、受付部１０１、選定部１０２及び表示部１０４を有する。バイタルデータ記憶部２３１ａは、対象者について測定されたバイタルデータに基づくバイタルデータ履歴を記憶するメモリ等の記憶領域であり、例えば健康管理システム１での管理装置２００のバイタルデータ記憶部２３１との間でバイタルデータ履歴がネットワークを介して相互に伝達され得るように構成されても良い。また、優先度情報記憶部２３３ａは、優先度情報を記憶するメモリ等の記憶領域であり、例えば管理装置２００の優先度情報記憶部２３３との間で優先度情報が相互に伝達され得るように構成されても良い。なお、受付部１０１、選定部１０２及び表示部１０４は、健康管理システム１ａの対象者用端末１００ａと同じものである。なお、付加情報項目として分析情報を含ませる場合には、端末装置１００ｂに分析部１０３を含ませても良い。
【０１１０】
また、実施の形態１では対象者用端末１００を対象者が操作してバイタルデータ履歴を閲覧するために用いることとしたが、対象者以外の者（例えば対象者の保護者といった関係者等）が操作して閲覧するために対象者用端末１００を用いても良い。
【０１１１】
また、実施の形態１では測定装置９０が無線でバイタルデータを対象者用端末１００に送信し得ることについて示したが、対象者用端末１００がバイタルデータを測定する測定装置（血圧計、歩数計、血糖値センサ等）を内蔵することとしても良い。また、対象者用端末１００がその測定装置と有線で電気的に接続されることとしても良い。また、バイタルデータに測定日時を付加してなるバイタルデータ履歴を測定装置９０が対象者用端末１００を介さずに管理装置２００に送信して登録するようにしても良い。
【０１１２】
また、実施の形態１では、表示選択部１３８が、対象者用端末１００を用いる対象者に対して１つの優先度情報を参照してサブ画面に表示すべき付加情報（付加情報項目）を選定する例を説明した。しかしながら、優先度情報は予め複数個用意されたものから、対象者毎にいずれの優先度情報を使用するかを選定して利用することとしても良い。即ち、健康管理システムを利用する複数の対象者それぞれに対して別個の優先度情報を定めることとしても良いし、一定の対象者に共通な優先度情報を定めることとしても良い。
【０１１３】
また、実施の形態１では、指定領域として、円形の領域を用いて説明したが、これに限定されるものではない。対象者が指定した２点を対角とする矩形の領域でも良い。なお、矩形の領域の場合には、元の矩形から拡大又は縮小後の矩形までの倍率を算出する場合において、矩形の短辺及び長辺のいずれかの長さの比を倍率として用いることができる。また、実施の形態１では、２点を直径とする円形領域に外接する横軸への垂線を用いて指定期間を検出したが、２点からの垂線を用いて指定期間を検出しても良い。
【０１１４】
また、実施の形態１では、倍率に基づいて優先度の範囲（最低優先度）を決定し、この優先度の範囲に基づいて表示すべき付加情報項目を決定する例を説明したが、倍率から直接、付加情報を決定しても良い。倍率から直接、付加情報を決定すれば、内部の処理量は軽減される。但し、倍率から一旦優先度の範囲（最低優先度）を決定してから付加情報項目を決定する方法によれば、対象者が保有する対象者用端末の画面サイズに応じて、容易に、倍率と最低優先度との関係を修正できるようになる。また、倍率テーブルと優先度情報とは統合してもよく、例えば優先度情報として倍率毎にその倍率で表示すべき付加情報項目を対応付けた情報を用いることとしてもよい。
【０１１５】
また、実施の形態１では、倍率検出部１３３は、領域検出部１３２にて検出した拡大又は縮小の対象となる領域の範囲（大きさ）に対する拡大後又は縮小後の領域の範囲（大きさ）の比である倍率（寸法比）を算出することとした。しかし、倍率として寸法比（長さの比）の他に、面積比を用いることとしても良い。なお、サブ画面に表示するグラフ（指定期間のバイタルデータ履歴のグラフ）は倍率に依存せずサブ画面に収まるサイズで表示することとしてもよい。
【０１１６】
また、実施の形態１では、対象者がタップして領域を指定してピンチアウト又はピンチインの操作を行って拡大又は縮小後の領域を指定する例を示した。しかし、タップ、ピンチアウト及びピンチインは操作方法の一例にすぎず、この２つの領域の指定（つまり第１領域と第２領域の指定）を他の操作方法で行えるようにしても良い。実施の形態１では、円形の領域を指定するために対象者が２点のタップを行うこととしたが、１点のタップ、ダブルタップ等としても良い。その１点のタップ等により、タップ等された点を中心として予めそのタップ等に応じて定められた直径の円形の領域が指定されたものと扱うこととしてもよい。
【０１１７】
また、実施の形態１では、サブ画面内には指定期間のバイタルデータ履歴をグラフ形式で表示することとしたが、サブ画面内に必ずしもグラフ形式でバイタルデータ履歴を表示しなくても良い、付加情報だけを表示することとしても良い。
【０１１８】
また、実施の形態１では対象者用端末１００において、付加情報項目の決定、分析情報の算出等の各種処理を行うこととしたが、その全部又は一部を管理装置２００が分担して処理することとしても良い。
【０１１９】
また、実施の形態１で示した健康管理システム１における各種処理の実行順序（例えば図６及び図９に示した手順等）は、必ずしも、実施の形態１に記載した通りの順序に制限されるものではなく、発明の要旨を逸脱しない範囲で、実行順序を入れ替えることができる。
【０１２０】
また、実施の形態１で示した対象者用端末１００、管理装置２００或いは指導者用端末３００といった装置類の各機能構成要素を、それぞれ分離した別個の装置内に設置することとしても良い。分離した各装置内の各機能構成要素は、互いに有線又は無線で通信することにより連携して動作し、実施の形態１で示した対象者用端末１００、管理装置２００或いは指導者用端末３００により行われるものと同様の処理が実現されるようになる。
【０１２１】
また、健康管理システム１における各装置類の機能構成要素（機能ブロック）は、ＩＣ（Integrated Circuit）、ＬＳＩ（Large Scale Integration）等の半導体装置により個別に１チップ化されても良いし、一部又は全部を含むように１チップ化されても良い。また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。更には、半導体技術の進歩又は派生する別技術によりＬＳＩに置き換わる集積回路化の技術が登場すれば、その技術を用いて機能ブロックの集積化を行っても良い。バイオ技術の適用等が可能性としてあり得る。
【０１２２】
また、上述した各装置類による各種処理（図６及び図９に示す手順等）の全部又は一部は、各装置類のハードウェアにより実現されても、ソフトウェアを用いて実現されても良い。なお、ソフトウェアによる処理は、各装置類に含まれるプロセッサがメモリに記憶された制御プログラムを実行することにより実現されるものである。また、その制御プログラムを記録媒体に記録して頒布や流通させても良い。例えば、頒布された制御プログラムを装置類にインストールして、装置類のプロセッサに実行させることで、装置類に各種処理（図６、図９に示す処理等）を行わせることが可能となる。
【産業上の利用可能性】
【０１２３】
本開示は、健康管理のために情報を表示するシステムに適用可能である。具体的には、医療従事者と患者との間で患者の健康状態に係る情報を共有する場合等に、本開示は適用可能である。
【符号の説明】
【０１２４】
１、１ａ  健康管理システム
９０  測定装置
１００、１００ａ  対象者用端末
１００ｂ  端末装置
１０１  受付部
１０２  選定部
１０３  分析部
１０４  表示部
１１０、２１０、３１０  通信Ｉ／Ｆ
１１１  通信部（対象者用端末の通信部）
１２０、２２０、３２０  ＣＰＵ
１２１  制御部（対象者用端末の制御部）
１２６  データ取得部
１２７  バイタルデータ取得部（対象者用端末のバイタルデータ取得部）
１２８  指導情報取得部
１２９  優先度情報取得部
１３１  入力検出部
１３２  領域検出部
１３３  倍率検出部
１３６  演算部
１３７  分析情報算出部
１３８  表示選択部
１４１  画面生成部
１４２  メイン画面生成部
１４３  サブ画面生成部
１５０  フラッシュメモリ
１６０  タッチパネル
１６１  入出力部
２００、２００ａ  管理装置
２１１  通信部（管理装置の通信部）
２２１  制御部（管理装置の制御部）
２３０  ＨＤＤ
２３１、２３１ａ  バイタルデータ記憶部
２３２  指導情報記憶部
２３３、２３３ａ  優先度情報記憶部
３００、３００ａ  指導者用端末
３１１  通信部（指導者用端末の通信部）
３２１  制御部（指導者用端末の制御部）
３２２  バイタルデータ取得部（指導者用端末のバイタルデータ取得部）
３２３  指導情報保持部
３２４  優先度情報保持部
３３０  ＲＡＭ
３４０  キーボード
３４１  入力部
３５０  ディスプレイ
３５１  出力部
４００  インターネット回線網
【図１】
2015140845.tif 000003
【図２】
2015140845.tif 000004
【図３】
2015140845.tif 000005
【図４】
2015140845.tif 000006
【図５】
2015140845.tif 000007
【図６】
2015140845.tif 000008
【図７】
2015140845.tif 000009
【図８】
2015140845.tif 000010
【図９】
2015140845.tif 000011
【図１０】
2015140845.tif 000012
【図１１】
2015140845.tif 000013
【手続補正書】
【提出日】平成26年10月10日(2014.10.10)
【手続補正１】
【補正対象書類名】明細書
【補正対象項目名】全文
【補正方法】変更
【補正の内容】
【発明の詳細な説明】
【技術分野】
【０００１】
本開示は、健康管理を支援する健康管理システムに関し、測定されたバイタルデータに係る情報の端末装置への表示技術に関する。
【背景技術】
【０００２】
特許文献１は、長期傾向のグラフを表示し、指定枠内にそのグラフを拡大した拡大グラフ及びデータの平均値を表示する技術を開示する。
【先行技術文献】
【特許文献】
【０００３】
【特許文献１】特開２０１０−０４９５３３号公報
【発明の概要】
【発明が解決しようとする課題】
【０００４】
本開示は、バイタルデータ履歴を画面上で閲覧する閲覧者の利便性を従来よりも向上させるべく、バイタルデータ履歴を表示した画面の一部に適切な情報量の付加情報を表示する健康管理システム、及び、このシステムに関連する技術を提供する。
【課題を解決するための手段】
【０００５】
本開示における健康管理システムは、画面に所定の対象者から逐次取得したバイタルデータに基づく表示を行う健康管理システムであって、前記バイタルデータについて取得の時を対応付けたバイタルデータ履歴を記憶するバイタルデータ記憶部と、複数の付加情報項目それぞれの優先度を定めた優先度情報を記憶する優先度情報記憶部と、画面中の第１領域及び第２領域の指定を受け付ける受付部と、前記受付部により指定が受け付けられた第１領域及び第２領域のサイズ並びに前記優先度情報に基づき、表示すべき付加情報項目を選定する選定部と、一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える健康管理システムである。
【０００６】
また、本開示における端末装置は、画面に対象者から逐次取得したバイタルデータに基づく表示を行う端末装置であって、前記バイタルデータについて取得の時を対応付けたバイタルデータ履歴を記憶するバイタルデータ記憶部と、複数の付加情報項目それぞれの優先度を定めた優先度情報を記憶する優先度情報記憶部と、画面中の第１領域及び第２領域の指定を受け付ける受付部と、前記受付部により指定が受け付けられた第１領域及び第２領域のサイズ並びに前記優先度情報に基づき、表示すべき付加情報項目を選定する選定部と、一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える端末装置である。
【０００７】
また、本開示における表示方法は、端末装置の画面に対象者から逐次取得したバイタルデータに基づく表示を行う表示方法であって、前記バイタルデータについて取得の時を対応付けたバイタルデータ履歴を記憶し、一定期間分の前記バイタルデータ履歴を前記画面に表示し、複数の付加情報項目それぞれの優先度を定めた優先度情報を取得し、画面中の第１領域及び第２領域の指定を受け付け、前記指定が受け付けられた第１領域及び第２領域のサイズ並びに前記優先度情報に基づき、表示すべき付加情報項目を選定し、前記第２領域に関連する位置に、前記一定期間のうち前記第１領域に対応する一部分の前記バイタルデータ履歴に関連し、前記選定がなされた付加情報項目についての付加情報を表示する表示方法である。
【０００８】
また、本開示における制御プログラムは、プロセッサを備える端末装置に、画面に対象者から逐次取得したバイタルデータに基づく表示を行う表示処理を実行させるための制御プログラムであって、前記表示処理は、前記バイタルデータについて取得の時を対応付けたバイタルデータ履歴を記憶するステップと、一定期間分の前記バイタルデータ履歴を前記画面に表示するステップと、複数の付加情報項目それぞれの優先度を定めた優先度情報を取得するステップと、画面中の第１領域及び第２領域の指定を受け付けるステップと、前記指定が受け付けられた第１領域及び第２領域のサイズ並びに前記優先度情報に基づき、表示すべき付加情報項目を選定するステップと、前記第２領域に関連する位置に、前記一定期間のうち前記第１領域に対応する一部分の前記バイタルデータ履歴に関連し、前記選定がなされた付加情報項目についての付加情報を表示するステップとを含む制御プログラムである。
【発明の効果】
【０００９】
本開示における健康管理システム、端末装置等は、画面に表示する付加情報の項目を指定された領域のサイズに基づいて選定するため、適切な情報量の付加情報を表示し得る。
【図面の簡単な説明】
【００１０】
【図１】図１は、実施の形態１に係る健康管理システムの概略構成図である。
【図２】図２は、健康管理システムの各装置類の主なハードウェア構成を示す図である。
【図３】図３は、優先度情報を例示する図である。
【図４】図４は、倍率テーブルの構成及び内容例を示す図である。
【図５】図５は、健康管理システムの機能ブロック図である。
【図６】図６は、バイタルデータ履歴の表示処理を示すフローチャートである。
【図７】図７は、画面の領域の指定がなされ拡大操作が開始された直後の状態の画面例を示す図である。
【図８】図８は、画面の領域の指定がなされ領域が１．８倍に拡大された状態の画面例を示す図である。
【図９】図９は、指導者用端末の動作を示すフローチャートである。
【図１０】図１０は、他の実施の形態に係る健康管理システムの機能ブロック図である。
【図１１】図１１は、他の実施の形態に係る健康管理システムにおける端末装置の機能ブロック図である。
【発明を実施するための形態】
【００１１】
健康管理の対象者がバイタルデータ履歴を端末装置の画面上で閲覧する際に、閲覧者（対象者）の指定に応じて一部のバイタルデータ履歴に関連し適切な情報量の付加情報を表示すべく、本開示における健康管理システムは、画面に所定の対象者から逐次取得したバイタルデータに基づく表示を行う健康管理システムであって、前記バイタルデータについて取得の時を対応付けたバイタルデータ履歴を記憶するバイタルデータ記憶部と、複数の付加情報項目それぞれの優先度を定めた優先度情報を記憶する優先度情報記憶部と、画面中の第１領域及び第２領域の指定を受け付ける受付部と、前記受付部により指定が受け付けられた第１領域及び第２領域のサイズ並びに前記優先度情報に基づき、表示すべき付加情報項目を選定する選定部と、一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える健康管理システムである。ここで、バイタルデータ履歴とは、バイタルデータの測定値と測定日時とを１又は複数組含む情報である。また、バイタルデータとは、対象者について測定された血圧、血糖値、歩数或いは体重等といった健康状態の指標となり得る項目の測定値を含む情報である。また、付加情報項目は、バイタルデータ履歴に関連する情報である付加情報の種別（項目）を示す情報である。第２領域に関連する位置は、第２領域内部に限らず、その第２領域の周辺等であっても良い。なお、付加情報項目の選定は、例えば第１領域に対する第２領域の倍率（寸法比、面積比等）に基づいて行っても、第１領域と第２領域との大きさの差分（寸法の差、面積の差等）に基づいて行っても、倍率と第２領域のサイズとに基づいて行っても良い。また、バイタルデータに係る取得は、対象者の操作による入力の受領、対象者のバイタルデータを測定する測定装置からの受信等を含む。なお、「時」は、年、月、日、時刻等といった時間に関する全ての用語の上位概念である。
【００１２】
この健康管理システムによれば、表示される付加情報項目が指定された領域のサイズに基づいて選定されるため、指定に対応して適切な情報量の付加情報が表示され得るようになる。
【００１３】
ここで、例えば、前記選定部は、前記第２領域のサイズの前記第１領域のサイズに対する比である倍率に応じて前記優先度情報に基づき前記選定を行い、前記優先度情報は、倍率毎に付加情報項目を対応付けた情報であることとしても良い。
【００１４】
これにより、健康管理システムは、対象者が第１領域を拡大等して第２領域とした場合においてその倍率（拡大率）に応じて適切な情報量の付加情報を画面に表示し得るようになる。
【００１５】
また、例えば、前記表示部は、前記受付部により前記指定が受け付けられた場合には前記第２領域内に前記付加情報を表示し、前記選定部は、前記倍率が大きい程多くの付加情報項目を選定することとしても良い。
【００１６】
これにより、対象者が指定した第２領域内に付加情報が表示されるので、対象者は一定期間分のバイタルデータ履歴を確認しつつ指定により更に第２領域内でその領域のサイズに応じた量の付加情報を確認し得るようになる。
【００１７】
また、前記表示部は、前記第２領域のサイズに応じて前記付加情報の表示態様を決定し、決定した当該表示態様で当該付加情報を表示することとしても良い。
【００１８】
これにより、健康管理システムは、対象者が指定した第２領域内にその領域のサイズに応じた態様で適切に付加情報を表示し得るようになる。
【００１９】
また、前記選定部は、前記第２領域のサイズにも応じて、前記優先度情報に基づき前記選定を行うこととしても良い。
【００２０】
これにより、健康管理システムは、対象者が指定した第２領域内に表示するために適切な量の付加情報を表示し得るようになる。
【００２１】
また、前記表示部は、前記一定期間分の前記バイタルデータ履歴をグラフ形式で表示し、前記受付部により前記指定が受け付けられた場合には前記第２領域内に、前記グラフ形式の前記バイタルデータ履歴を前記比に係る前記倍率で拡大して表示することとしても良い。
【００２２】
これにより、対象者は、一定期間分のバイタルデータ履歴の全体的な傾向をグラフで容易に確認でき、指定によりグラフの一部を拡大して確認できるようになる。
【００２３】
また、前記健康管理システムは、前記第１領域に対応する部分の前記バイタルデータ履歴に基づいて、前記選定部により選定された付加情報項目についての分析情報を算出する分析部を備え、前記表示部が表示する前記付加情報は、前記分析部により算出された分析情報を含むこととしても良い。
【００２４】
これにより、対象者は、画面上でバイタルデータ履歴の分析情報を確認できるようになる。
【００２５】
また、前記健康管理システムは、相互に通信可能な前記バイタルデータ履歴を管理する管理装置と前記対象者から前記バイタルデータを取得する対象者用端末とを備え、前記対象者用端末は、前記画面と前記受付部と前記表示部とを有することとしても良い。
【００２６】
これにより、対象者は、対象者用端末の画面によりバイタルデータ履歴に関する情報を閲覧できるようになる。
【００２７】
また、前記管理装置は、前記バイタルデータ履歴を参照した指導者が前記対象者に向けた指導情報を入力するための指導者用端末と通信可能であり、当該指導者用端末から取得した当該指導情報を記憶するための指導情報記憶部を有し、前記表示部が表示する前記付加情報は、前記指導情報記憶部に記憶された前記指導情報を含むこととしても良い。
【００２８】
これにより、対象者は、指導者が指導者用端末から入力した指導情報を対象者用端末の画面により確認できるようになる。
【００２９】
また、前記優先度情報記憶部に記憶された前記優先度情報は前記指導者用端末から更新可能に構成されることとしても良い。
【００３０】
これにより、指導者は、対象者に対して表示される付加情報項目の優先順序を指定できるようになる。
【００３１】
また、本開示における端末装置は、画面に対象者から逐次取得したバイタルデータに基づく表示を行う端末装置であって、前記バイタルデータについて取得の時を対応付けたバイタルデータ履歴を記憶するバイタルデータ記憶部と、複数の付加情報項目それぞれの優先度を定めた優先度情報を記憶する優先度情報記憶部と、画面中の第１領域及び第２領域の指定を受け付ける受付部と、前記受付部により指定が受け付けられた第１領域及び第２領域のサイズ並びに前記優先度情報に基づき、表示すべき付加情報項目を選定する選定部と、一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える端末装置である。
【００３２】
また、本開示における表示方法は、端末装置の画面に対象者から逐次取得したバイタルデータに基づく表示を行う表示方法であって、前記バイタルデータについて取得の時を対応付けたバイタルデータ履歴を記憶し、一定期間分の前記バイタルデータ履歴を前記画面に表示し、複数の付加情報項目それぞれの優先度を定めた優先度情報を取得し、画面中の第１領域及び第２領域の指定を受け付け、前記指定が受け付けられた第１領域及び第２領域のサイズ並びに前記優先度情報に基づき、表示すべき付加情報項目を選定し、前記第２領域に関連する位置に、前記一定期間のうち前記第１領域に対応する一部分の前記バイタルデータ履歴に関連し、前記選定がなされた付加情報項目についての付加情報を表示する表示方法である。
【００３３】
また、本開示における端末装置に表示処理を行わせるための制御プログラムは、プロセッサを備える端末装置に、画面に対象者から逐次取得したバイタルデータに基づく表示を行う表示処理を実行させるための制御プログラムであって、前記表示処理は、前記バイタルデータについて取得の時を対応付けたバイタルデータ履歴を記憶するステップと、一定期間分の前記バイタルデータ履歴を前記画面に表示するステップと、複数の付加情報項目それぞれの優先度を定めた優先度情報を取得するステップと、画面中の第１領域及び第２領域の指定を受け付けるステップと、前記指定が受け付けられた第１領域及び第２領域のサイズ並びに前記優先度情報に基づき、表示すべき付加情報項目を選定するステップと、前記第２領域に関連する位置に、前記一定期間のうち前記第１領域に対応する一部分の前記バイタルデータ履歴に関連し、前記選定がなされた付加情報項目についての付加情報を表示するステップとを含む制御プログラムである。
【００３４】
これらにより、端末装置の画面に表示される付加情報項目が対象者に指定された領域のサイズに基づいて選定されるため、指定に対応して適切な情報量の付加情報が表示され得るようになる。
【００３５】
なお、これらの包括的又は具体的な各種態様には、装置、システム、方法、集積回路、コンピュータプログラム、コンピュータで読み取り可能な記録媒体等の１つ又は複数の組合せが含まれる。
【００３６】
以下、適宜図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるのを避け、当業者の理解を容易にするためである。
【００３７】
なお、発明者は、当業者が本開示を十分に理解するために図面及び以下の説明を提供するのであって、これらによって請求の範囲に記載の主題を限定することを意図するものではない。即ち、以下の具体例を用いた説明で示される数値、形状、材料、構成要素、構成要素の配置及び接続形態、並びに、ステップ（工程）及びステップの順序等は、一例であって、請求の範囲に記載の主題を限定するものではない。以下の実施の形態における構成要素のうち、独立請求項に記載されていない構成要素については、任意に付加可能な構成要素である。また、各図は、模式図であり、必ずしも厳密に図示されたものではない。
【００３８】
（実施の形態１）
実施の形態１では、主に、所定の対象者から取得したバイタルデータに基づく表示等を行うことで対象者の健康管理を支援する健康管理システム１について説明する。
【００３９】
以下、図１〜図９を用いて、実施の形態１を説明する。
【００４０】
［１−１．構成］
図１は、実施の形態１における健康管理システム１の概略構成図である。
【００４１】
健康管理システム１は同図に示すように、対象者用端末１００、管理装置２００及び指導者用端末３００と、これらの装置類を相互に通信可能に接続するネットワークであるインターネット回線網４００とを含んで構成される。なお、この各装置類の主なハードウェア構成の例を図２に示す。
【００４２】
対象者用端末１００は、対象者が操作するスマートフォン、タブレット等といった端末装置であり、メモリ（フラッシュメモリ１５０等）、プロセッサ（ＣＰＵ１２０）、入力装置及びディスプレイ装置（タッチパネル１６０）、通信インタフェース（Ｉ／Ｆ）１１０等を備える。通信Ｉ／Ｆ１１０は、インターネット回線網４００やその他の通信手段を介して、他の装置類との間で情報の授受を行なうように構成された通信回路等である。メモリはＲＯＭ、ＲＡＭ等である。メモリには後述する各機能部の処理を実現するための制御プログラムやその制御プログラムで利用するための設定値等が予め格納され、また、メモリは、制御プログラムのプロセッサによる実行に際して用いられる各値を一時的に格納するためにも用いられる。フラッシュメモリ１５０は、例えばＣＰＵ１２０によって演算された演算結果や、通信Ｉ／Ｆ１１０を介して取得した情報を一時的に保存する。この対象者用端末１００は、対象者のバイタルデータを測定する測定装置９０とＢｌｕｅｔｏｏｔｈ（登録商標）等の無線通信技術により通信可能である。なお、バイタルデータは、血圧、血糖値等の所謂生体情報や、歩数等の活動量の情報や、体重等の身体的特徴に係る情報等である。
【００４３】
管理装置２００は、メモリ、プロセッサ（ＣＰＵ２２０）、ハードディスク装置（ＨＤＤ）２３０等の比較的大容量の記憶媒体、通信Ｉ／Ｆ２１０等を備えるサーバである。通信Ｉ／Ｆ２１０は、インターネット回線網４００やその他の通信手段を介して、他の装置類との間で情報の授受を行なうように構成された通信回路等である。ＨＤＤ２３０は、例えば通信Ｉ／Ｆ２１０を介して取得した情報を保存する。
【００４４】
指導者用端末３００は、対象者に対して遠隔地から健康指導を行う者（指導者）が操作するＰＣ（Personal Computer）等の端末装置であり、メモリ（ＲＡＭ３３０等）、プロセッサ（ＣＰＵ３２０）、入力装置（キーボード３４０等）、ディスプレイ３５０、通信Ｉ／Ｆ３１０等を備える。通信Ｉ／Ｆ３１０は、インターネット回線網４００やその他の通信手段を介して、他の装置類との間で情報の授受を行なうように構成された通信回路等である。ＲＡＭ３３０は、例えば通信Ｉ／Ｆ３１０を介して取得した情報を一時的に保存する。
【００４５】
ここでは、対象者用端末１００は対象者に携帯されるスマートフォンであり、管理装置２００はサーバであり、指導者用端末３００はＰＣであることを想定して説明する。
【００４６】
この健康管理システム１の利用の一例は、例えば次のようなものとなる。
【００４７】
まず、対象者について測定されたバイタルデータ及び測定日時の情報は、対象者がタッチパネル１６０を介して入力する又は測定装置９０が送信する等により対象者用端末１００に受け付けられる。そして、そのバイタルデータ等が対象者用端末１００から管理装置２００に送られて例えばＨＤＤ２３０にバイタルデータ履歴として蓄積（登録）される。例えばバイタルデータ履歴はデータベースで管理される。バイタルデータには、対象者について例えば測定装置９０等により測定された血圧、血糖値、歩数或いは体重等といった健康状態の指標となり得る項目の測定値が含まれる。管理装置２００に蓄積されるバイタルデータ履歴としては、バイタルデータの測定値と測定日時とが含まれ、更に、対象者を識別する情報（対象者ラベル）、バイタルデータの項目を識別する情報（バイタル項目ラベル）等の情報が含まれることとしても良い。例えば、対象者Ａが、２０１４年０２月１７日１０時００分に測定した６０．０ｋｇという体重を入力した場合、「対象者ラベル：Ａ、バイタル項目ラベル：体重、測定値：６０．０、測定日時：２０１４年０２月１７日１０時００分」というデータ（データレコード）がバイタルデータ履歴を構成する情報として管理装置２００に追加される。
【００４８】
指導者は、管理装置２００から対象者のバイタルデータ等を指導者用端末３００にダウンロードして閲覧する。指導者は必要であれば面談、電話等（例えばインターネット回線網４００を介したビデオ通話、管理装置２００を経由した指導情報の伝達等）で個々の対象者に対して病気予防等のための健康指導を行う。そして、その健康指導の内容を指導者用端末３００に入力して、指導情報として管理装置２００にアップロードして登録する。健康管理システム１は、図１等では対象者用端末を１台しか図示していないが、対象者毎に対象者用端末を含んだ構成とすることができ、例えば１名の指導者が、２０〜３０人程度の対象者を指導するような運用が可能である。なお、指導情報とは、指導者が、対象者のバイタルデータを参照してアドバイスした、病気予防や健康維持のためのコメントや、バイタルデータの目標値等を含む情報である。指導情報は、バイタルデータ履歴における指導者が参照したいずれかのデータレコード（バイタルデータ等）と関連付けられた状態で管理装置２００の例えばＨＤＤ２３０によって記録（登録）される。また、指導者は、アップロードにより指導情報を管理装置２００に記録（登録）することができる他、各対象者に対しての優先度情報を管理装置２００に記録（登録）することができる。
【００４９】
そして、対象者がバイタルデータ履歴（今までの測定結果）を閲覧したいときに対象者用端末１００を操作すると、管理装置２００からダウンロードされた一定期間分のバイタルデータ履歴がグラフ形式で対象者用端末１００の画面（メイン画面）に表示される。対象者は、対象者用端末１００を操作して、対象者用端末１００の画面（メイン画面）の一領域（サブ画面）に一部のバイタルデータ履歴のグラフを拡大表示させると共に付加情報を表示させ、これらを閲覧する。このサブ画面に表示される付加情報（平均値等といったバイタルデータの分析結果や指導者に入力された指導情報等）についての種別（項目）は、優先度情報に基づいて定まる。
【００５０】
優先度情報とは、サブ画面に表示され得る付加情報の各項目についての優先度を示す情報である。この優先度情報の一例であるテーブルを図３に示す。同図に示したように、例えば血圧についてサブ画面で表示され得る付加情報の項目（付加情報項目）としては、優先度が高い順に、分析情報１（平均値）、指導情報１（指導コメント）、指導情報２（目標値）、測定値及び測定日時がある。対象者が、画面の一部領域を指定して領域を拡大する操作を行うと、つまり画面に表示された一定期間分のバイタルデータ履歴のグラフの一部（一部の期間）を指定して拡大する操作を行うと、その倍率（拡大率）に応じてどの優先度の付加情報項目まで表示するかが定まる。倍率が小さい程、サブ画面に表示される付加情報項目は少なくなり、つまり、高い優先度の付加情報項目だけしか表示されなくなり、倍率が大きい程、低い優先度の付加情報項目までも表示されることとなる。例えば、図３に示した優先度情報の例に基づくと、血圧のグラフの一部が指定されて拡大された場合、倍率が小さいと、拡大されたグラフと共に分析情報１（平均値）が表示され、倍率が少し大きくなると、拡大されたグラフと共に分析情報１（平均値）及び指導情報２（目標値）が表示され、倍率が更に大きくなると、拡大されたグラフと共に分析情報１（平均値）、指導情報２（目標値）及び指導情報１（指導コメント）が表示される。そして、最大級に倍率が大きくなると、拡大されたグラフと共に、分析情報１（平均値）、指導情報２（目標値）、指導情報１（指導コメント）、測定値及び測定日時が表示される。測定値及び測定日時は、指定された期間内の測定日時毎に値を有するので、複数個、表示され得る。倍率に対してどの優先度までを表示するかは例えばテーブルや計算式等によって予め対応付けられている。このテーブル（倍率テーブル）の例を図４に示す。図４での最低優先度は、どの優先度まで表示するかを示し、最低優先度が３であれば、優先度１〜３までの付加情報項目を表示することを意味する。図４の例では、例えば倍率が２倍であれば、最低優先度が４となり、優先度１〜４まで付加情報項目を表示することになる。この倍率テーブルは、倍率が大きくなると付加情報項目の量を増大させるような関係となるように構成されている。また、分析情報は、管理装置２００からダウンロードしたバイタルデータ履歴に基づいて対象者用端末１００において例えばＣＰＵ１２０により算出される情報である。この分析情報は、例えば、指定された期間の平均値（分析情報１）、最大値（分析情報２）、最小値（分析情報３）、傾向（分析情報４）、或いは、相関性の高い他のバイタルデータ履歴についての平均値（分析情報５）等である。ここで、傾向とは、指定された期間においてバイタルデータの測定値が上昇傾向にあるか下降傾向にあるか等を示す指標である。また、相関性の高い他のバイタルデータ履歴とは、例えば体重に対する歩数のデータを指す。例えば、図３に示す体重についての優先度３の付加情報項目に基づいて、対象者用端末１００は、対象者が体重のグラフを十分な倍率に拡大した場合に、指定された期間の歩数の平均値をサブ画面に表示する。なお、付加情報は、図３に例示した項目（付加情報項目）から明らかなように分析情報、指導情報及び測定値等といったバイタルデータ履歴に関連する情報である。
【００５１】
以下、上述した健康管理システム１を構成する各装置類について詳細に説明する。
【００５２】
図５は、健康管理システム１の機能ブロック図である。
【００５３】
［１−１−１．対象者用端末の機能構成］
対象者用端末１００は、機能面では図５に示すように、通信部１１１、制御部１２１及び入出力部１６１を備える。以下、これらの各機能部（機能構成要素）について説明する。
【００５４】
通信部１１１は、管理装置２００に登録されたバイタルデータ、指導情報及び優先度情報を取得し、制御部１２１へ伝達し、また、逐次入力されるバイタルデータに基づきバイタルデータ履歴を管理装置２００へ送信（アップロード）する機能を有する。通信部１１１は、バイタルデータが測定装置９０から送信された場合にはこれを受信して取得して、そのバイタルデータに基づきバイタルデータ履歴を管理装置２００へ送信する機能を有することとしても良い。この通信部１１１は、メモリに格納された制御プログラムを実行するプロセッサ（ＣＰＵ１２０）の制御下で動作する通信Ｉ／Ｆ１１０により実現される。なお、通信部１１１はバイタルデータ履歴を、バイタルデータが取得される都度送信しても、一定量のバイタルデータ履歴をまとめて送信しても良い。
【００５５】
制御部１２１は、対象者用端末１００内の各種制御及び演算を行う機能を有し、データ取得部１２６、入力検出部１３１、演算部１３６及び画面生成部１４１を有する。この制御部１２１は、メモリに格納された制御プログラムを実行するプロセッサ（ＣＰＵ１２０）及びメモリ（フラッシュメモリ１５０等）により実現される。ここで、データ取得部１２６は、通信部１１１を介してデータを取得する機能を担い、バイタルデータ取得部１２７、指導情報取得部１２８及び優先度情報取得部１２９を有する。入力検出部１３１は、対象者による操作を検出する機能を担い、領域検出部１３２及び倍率検出部１３３を有する。演算部１３６は、対象者による操作に応じて出力すべき情報を選択し演算する機能を担い、分析情報算出部１３７及び表示選択部１３８を有する。画面生成部１４１は、ディスプレイ装置（タッチパネル１６０）に出力すべき画面（メイン画面及びサブ画面）を生成する機能を担い、メイン画面生成部１４２及びサブ画面生成部１４３を有する。
【００５６】
バイタルデータ取得部１２７は、通信部１１１を通じて管理装置２００からバイタルデータ履歴を取得してフラッシュメモリ１５０等のメモリの一領域に格納し、バイタルデータ履歴を分析情報算出部１３７及び画面生成部１４１に伝達する機能を有する。
【００５７】
指導情報取得部１２８は、通信部１１１を通じて管理装置２００から指導情報を取得してフラッシュメモリ１５０等のメモリの一領域に格納し、指導情報を表示選択部１３８に伝達する機能を有する。
【００５８】
優先度情報取得部１２９は、通信部１１１を通じて管理装置２００から優先度情報を取得してフラッシュメモリ１５０等のメモリの一領域に格納し、優先度情報を表示選択部１３８へ伝達する機能を有する。
【００５９】
入出力部１６１は、画面生成部１４１により生成されたメイン画面等（一定期間分のバイタルデータ履歴のグラフ等）を表示する出力機能と、対象者によるバイタルデータ履歴のグラフに対する領域指定（タップ）、拡大（ピンチアウト）或いは縮小（ピンチイン）等の操作を受け付ける入力機能とを有する。この入出力部１６１は、入力装置及びディスプレイ装置（例えばタッチパネル１６０）により実現される。
【００６０】
領域検出部１３２は、入出力部１６１にて受付けた、画面に表示されたグラフの一部領域の指定操作から、拡大又は縮小の対象となる領域及び期間を検出する機能を有する。具体的には、対象者が、入出力部１６１に出力されたメイン画面において、１ヶ月間のグラフのうち、１週間に相当する領域を２本の指でタップして指定した場合、領域検出部１３２は、タップされた２点の位置を検出し、２点で囲まれる領域の範囲（大きさ）、及び、２点間に相当する指定期間（１週間）を検出する。領域検出部１３２は、更に、拡大又は縮小された後の領域を検出する機能を有する。具体的には、対象者が、ピンチアウト（２本の指の間隔を広げる）又はピンチイン（２本の指の間隔を狭める）の操作を行った場合、入出力部１６１上での２本の指の位置を検出し、操作（ピンチアウト又はピンチイン）後における２本の指の位置（２点の位置）で囲まれる領域の範囲（大きさ）を検出する。なお、この操作後の領域の範囲がサブ画面でありこのサブ画面内に拡大（縮小）されたグラフと付加情報とが表示されることになる。
【００６１】
倍率検出部１３３は、領域検出部１３２にて検出した拡大又は縮小の対象となる領域の範囲（大きさ）に対する拡大後又は縮小後の領域の範囲（大きさ）の比である倍率（寸法比）を算出することで検出する機能を有する。具体的には、対象者が、ピンチアウト（２本の指の間隔を広げる）又はピンチイン（２本の指の間隔を狭める）の操作を行った場合、操作（ピンチアウト又はピンチイン）前後での寸法比を検出する。領域検出部１３２により検出された指定期間に関する情報と、倍率検出部１３３により検出された倍率の情報とは、表示選択部１３８に伝達される。
【００６２】
分析情報算出部１３７は、表示選択部１３８からの指定期間に関する指示とバイタルデータ取得部１２７から取得したバイタルデータ履歴とに基づいて分析情報を算出する。分析情報としては、指定期間の平均値（つまりバイタルデータ履歴における指定期間内に測定された測定値の平均値）、指定期間の最大値、指定期間の最小値、指定期間の傾向（上昇傾向、下降傾向、横ばい等）、相関性の高い他のバイタルデータの指定期間の平均値等がある。
【００６３】
表示選択部１３８は、倍率検出部１３３から取得した領域の拡大（縮小）に係る倍率と、優先度情報取得部１２９から取得した優先度情報とを参照して、サブ画面内に拡大されたグラフと共に表示する付加情報の項目（付加情報項目）を選定する機能を有する。また、表示選択部１３８は更に、バイタルデータ取得部１２７、指導情報取得部１２８又は分析情報算出部１３７へ、選定した付加情報を出力するよう指示することにより、バイタルデータ取得部１２７、指導情報取得部１２８又は分析情報算出部１３７から取得した付加情報をサブ画面生成部１４３へ伝達する機能を有する。
【００６４】
メイン画面生成部１４２は、バイタルデータ取得部１２７から取得したバイタルデータ履歴に基づいて、入出力部１６１にて表示するためにグラフ形式で表したバイタルデータ履歴を含むメイン画面を生成する機能を有する。グラフ形式で表すとは、例えばバイタルデータ（測定値）の測定日時を横軸にし、測定値を縦軸としたグラフで表すことである。メイン画面は、例えばディスプレイ装置（タッチパネル１６０）の画面全域に亘って表示される内容となる。
【００６５】
サブ画面生成部１４３は、メイン画面が表示されている間における対象者によるピンチアウト或いはピンチインの操作に応じて、メイン画面の一部領域に重畳的に表示するサブ画面を生成する機能を有する。サブ画面は、対象者によるピンチアウト等の操作後の拡大（縮小）された領域に相当する。このサブ画面には、拡大又は縮小されたグラフと共に表示選択部１３８から取得した付加情報が表示される。
【００６６】
［１−１−２．管理装置の機能構成］
管理装置２００は、機能面では図５に示すように、通信部２１１、制御部２２１、バイタルデータ記憶部２３１、指導情報記憶部２３２及び優先度情報記憶部２３３を備える。以下、これらの各機能構成要素について説明する。
【００６７】
通信部２１１は、対象者用端末１００及び指導者用端末３００と通信する機能を担い、メモリに格納された制御プログラムを実行するプロセッサ（ＣＰＵ２２０）の制御下で動作する通信Ｉ／Ｆ２１０により実現される。
【００６８】
制御部２２１は、管理装置２００内の各種制御を行う機能を有し、メモリに格納された制御プログラムを実行するプロセッサ（ＣＰＵ２２０）により実現される。
【００６９】
バイタルデータ記憶部２３１は、ＨＤＤ２３０の記憶媒体の一領域により実現され、対象者によって登録されたバイタルデータ履歴を記憶（蓄積）する機能を有する。このバイタルデータ記憶部２３１は、１以上の対象者各々についてのバイタルデータ履歴を記憶し、例えば、各対象者用端末からバイタルデータ履歴を取得する際に対象者ラベルを取得して、各対象者を識別して対象者毎にバイタルデータ履歴を管理する。
【００７０】
指導情報記憶部２３２は、ＨＤＤ２３０の記憶媒体の一領域により実現され、指導者によって登録された指導情報を記憶（蓄積）する機能を有する。この指導情報記憶部２３２は、１以上の対象者各々についての指導情報を記憶し、指導者用端末３００から指導情報が登録される際に対象者ラベルを取得して、各対象者を識別して対象者毎に指導情報を管理する。なお、指導情報は、その指導情報を登録した指導者を識別するための識別情報を関連付けて管理されても良い。
【００７１】
優先度情報記憶部２３３は、ＨＤＤ２３０の記憶媒体の一領域により実現され、予め定められた、又は、指導者によって登録された優先度情報を記憶（蓄積）する機能を有する。この優先度情報記憶部２３３は、１以上の対象者各々についての優先度情報を記憶する。複数の対象者に共通して利用され得る優先度情報の基本パターンが、血圧が高め、メタボリックシンドローム或いは糖尿病予備軍等といった症状毎に予め複数個用意され、対象者毎にいずれかの基本パターンが優先度情報として設定されることとしても良い。また、対象者毎に独立して優先度情報の内容が設定されることとしても良い。なお、対象者毎の優先度情報は、対象者を識別する対象者ラベルと関連付けて管理される。
【００７２】
［１−１−３．指導者用端末の機能構成］
指導者用端末３００は、機能面では図５に示すように、通信部３１１、制御部３２１、入力部３４１及び出力部３５１を備える。以下、これらの各機能構成要素について説明する。
【００７３】
通信部３１１は、管理装置２００と通信する機能、具体的には管理装置２００に登録されたバイタルデータ履歴を取得して制御部３２１に伝達して制御部３２１から取得した指導情報及び優先度情報を管理装置２００へ送信する機能を担う。この通信部３１１は、メモリに格納された制御プログラムを実行するプロセッサ（ＣＰＵ３２０）の制御下で動作する通信Ｉ／Ｆ３１０により実現される。
【００７４】
制御部３２１は、指導者用端末３００内の各種制御を行なう機能を有し、メモリに格納された制御プログラムを実行するプロセッサ（ＣＰＵ３２０）及びメモリ（ＲＡＭ３３０等）により実現される。この制御部３２１は、バイタルデータ取得部３２２、指導情報保持部３２３及び優先度情報保持部３２４を有する。
【００７５】
バイタルデータ取得部３２２は、通信部３１１を通じて管理装置２００から対象者のバイタルデータ履歴を取得し、取得したバイタルデータ履歴を出力部３５１に伝達する機能を有する。
【００７６】
指導情報保持部３２３は、入力部３４１から指導者によって入力された指導情報（対象者のバイタルデータ履歴に基づいて行った健康指導に関する情報）を、取得して一時的に保持して通信部３１１を介して管理装置２００に送信する機能を有する。この送信は、指導者が一時的に保持された指導情報に間違えがないか等を確認した後に行う指示に従ってなされる。
【００７７】
優先度情報保持部３２４は、指導者によって対象者向けの優先度情報が変更された場合に優先度情報を入力部３４１から取得し、取得した優先度情報を一時的に保持して通信部３１１を介して管理装置２００に送信する機能を有する。この送信は、指導者が一時的に保持された優先度情報に間違えがないか等を確認した後に行う指示に従ってなされる。
【００７８】
入力部３４１は、入力装置（キーボード３４０等）により実現され、指導者からの入力操作を受け付ける機能を有する。この入力部３４１は、指導者が入力した指導情報や優先度情報を受け付け、入力された指導情報及び優先度情報を指導情報保持部３２３及び優先度情報保持部３２４に伝達する。
【００７９】
出力部３５１は、ディスプレイ３５０等により実現され、バイタルデータ取得部３２２により通信部３１１を通じて管理装置２００から取得された対象者のバイタルデータ履歴等を表示又は出力する機能を有する。
【００８０】
［１−２．動作］
以下、上述の構成を備える健康管理システム１の動作について説明する。
【００８１】
［１−２−１．対象者用端末に関連した動作］
対象者用端末１００では、対象者による入力や測定装置９０からの受信により、対象者についての測定結果であるバイタルデータが取得される。そして、対象者用端末１００は、取得したバイタルデータについてのバイタルデータ履歴を管理装置２００に送信する。管理装置２００では、バイタルデータ履歴が蓄積され管理されている。
【００８２】
対象者が、今までの測定結果（バイタルデータ履歴）を閲覧する場合には、対象者用端末は、バイタルデータ履歴の表示処理を実行する。ここでは、血圧の測定結果について表示する例について図３の優先度情報、図４の倍率テーブルの例を用いて説明する。
【００８３】
図６は、バイタルデータ履歴の表示処理を示すフローチャートである。以下、図６のフローチャートに即して対象者用端末１００におけるバイタルデータ履歴の表示処理を説明する。
【００８４】
まず、対象者用端末１００は、通信部１１１及びバイタルデータ取得部１２７により管理装置２００のバイタルデータ記憶部２３１に登録されたバイタルデータ履歴を取得する（ステップＳ１）。次に、メイン画面生成部１４２は、バイタルデータ取得部１２７から一定期間分（例えば今月分）のバイタルデータ履歴を得てグラフ形成で表し、そのグラフを含むメイン画面を生成する（ステップＳ２）。なお、一定期間は、対象者の操作に応じて変更される。続いて、対象者用端末１００は、入出力部１６１によりメイン画面を表示する（ステップＳ３）。これにより、対象者用端末１００のタッチパネル１６０等の画面に、一定期間内のバイタルデータの測定日時を横軸にしてバイタルデータ（血圧の測定値）を縦軸にしたグラフが表示されることになる。
【００８５】
そして、バイタルデータ履歴のグラフを閲覧している対象者がタッチパネル１６０上のメイン画面のある領域を２本指でタップして指定することで、その領域に表示されていたグラフに係る一部の期間の指定を行った場合には、入出力部１６１は、この指定を受け付ける（ステップＳ４）。そして、この後に領域の拡大（縮小）の操作があれば（ステップＳ５）、即ち対象者により２本指でピンチアウト（拡大）又はピンチイン（縮小）という操作がなされると、入出力部１６１はこの操作を受け付け、対象者用端末１００は次のステップＳ６での処理に移行する。
【００８６】
即ち、領域検出部１３２が、対象者にタップされた２点の位置から指定された領域の範囲と対応する指定期間と拡大又は縮小後の領域の範囲とを検出し、倍率検出部１３３が、倍率を算出する（ステップＳ６）。そして、優先度情報取得部１２９が管理装置２００から優先度情報を取得し（ステップＳ７）、表示選択部１３８は、優先度情報取得部１２９から取得した優先度情報に基づき、倍率検出部１３３により算出された倍率に応じてサブ画面に表示すべき付加情報項目を選定する（ステップＳ８）。なお、ステップＳ７での優先度情報の取得は、ステップＳ１でのバイタルデータ履歴の取得と同じタイミングで１回行うこととしても良い。
【００８７】
図７は、対象者に領域の指定がなされピンチアウト（拡大）の操作が始められた直後の状態の画面例を示す。同図のメイン画面５００において２本指のそれぞれでタップされた位置が位置５１１及び位置５１２である。領域検出部１３２は、このタップがなされた位置５１１及び位置５１２を直径とする円形の指定領域５１０（サブ画面）を求め、血圧のグラフの横軸（測定日時）において指定領域５１０に外接する垂線５１３、５１４の間隔に相当する期間（例えば２月１１日から２月１７日までの１週間）を指定期間として検出する。なお、指定領域５１０は、指定期間を日付単位で指定できるように、横軸の日付単位のグリッドにフィッティングさせることとしても良い。また、グリッドへのフィッティングを行わなくても位置を日付単位に丸める演算を用いて指定期間を検出しても良い。
【００８８】
ピンチアウト（拡大）の操作が始められたばかりの状態であれば倍率は略１であるので、図４の倍率テーブルの例によれば最低優先度は１であり、図３の優先度情報の例によれば、血圧についての優先度１は、分析情報１（平均値）である。従って、表示選択部１３８は、分析情報１（平均値）を表示すべき付加情報項目として選定する。
【００８９】
表示選択部１３８は、付加情報項目を選定した後に、その選定した付加情報項目に応じてサブ画面に含ませる付加情報を特定する（ステップＳ９）。即ち、表示選択部１３８は、付加情報項目が測定値又は測定日時であればバイタルデータ取得部１２７を介して取得したバイタルデータ履歴から測定値又は測定日時を取得して特定する。また、付加情報項目が指導情報であれば指導情報取得部１２８を介して指導情報を取得して特定する。また、付加情報項目が分析情報であれば分析情報算出部１３７により算出された分析情報を取得して特定する。
【００９０】
ここでは、分析情報１（平均値）が表示選択部１３８により表示すべき付加情報として選定されたとして説明を続ける。分析情報算出部１３７は、指定期間（例えば２月１１日から２月１７日まで）のバイタルデータ履歴に基づいてその平均値である分析情報１を算出し、これを表示選択部１３８は表示すべき付加情報として特定する（ステップＳ９）。なお、分析情報算出部１３７は、指定期間に基づいて、各分析情報（平均値、最大値、最小値、傾向等）のうち少なくとも表示すべき付加情報項目として選定されたものを算出する。
【００９１】
サブ画面生成部１４３は、バイタルデータ取得部１２７から取得した指定期間のバイタルデータ履歴に基づき倍率に従ってバイタルデータ履歴のグラフを拡大して表すとともに表示選択部１３８から取得した付加情報である分析情報１（平均値）を表すサブ画面を生成する（ステップＳ１０）。これによりサブ画面には、付加情報とサブ画面の大きさ（拡大された指定領域）に合わせたグラフとが含まれることになる。入出力部１６１は、サブ画面生成部１４３により生成されたサブ画面をメイン画面に重畳して表示する（ステップＳ１１）。この結果として、図７で示すように、指定領域５１０（サブ画面）内にはグラフとともに平均値が表示されることになる。
【００９２】
また、対象者がそのタップした２本指のピンチアウト（拡大）を続けた場合には（ステップＳ５）、領域検出部１３２及び倍率検出部１３３の働きにより、拡大後の領域の範囲が検出されて倍率が算出される（ステップＳ６）。ここでは、対象者のピンチアウトにより指定領域が１．８倍に拡大されたものとして説明を続ける。表示選択部１３８は、優先度情報取得部１２９から取得した優先度情報に基づき、１．８倍に応じて表示すべき付加情報項目を選定する（ステップＳ８）。図４の倍率テーブルの例によれば１．８倍に対応する最低優先度が３であるため、血圧についての優先度１〜３の付加情報項目を選定することとなる。従って、図３の優先度情報の例によれば、表示選択部１３８は、優先度１の分析情報１（平均値）と優先度２の指導情報２（目標値）と優先度３の指導情報１（指導コメント）とを選定する。そして、分析情報算出部１３７は、指定期間（例えば２月１１日から２月１７日まで）のバイタルデータ履歴に基づいて平均値を算出し及びその指定期間内に対応する指導情報の目標値と指導コメントとを管理装置２００から指導情報取得部１２８を介して取得する。なお、指導情報取得部１２８は、表示選択部１３８からの指示に応じて管理装置２００から指導情報を取得する代わりに、ステップＳ１でのバイタルデータ履歴の取得と同じタイミングで１回取得して保持することとしても良い。表示選択部１３８は、分析情報算出部１３７から取得した平均値、指導情報取得部１２８から取得した指導コメント及び目標値をサブ画面生成部１４３へ伝達する。
【００９３】
サブ画面生成部１４３は、１．８倍にバイタルデータ履歴のグラフを拡大して表すとともに付加情報である分析情報１（平均値）、指導情報２（目標値）及び指導情報１（指導コメント）を表すサブ画面を生成する（ステップＳ１０）。そして入出力部１６１は、そのサブ画面をメイン画面に重畳して表示する（ステップＳ１１）。この状態での画面例を図８に示す。図８に示すように、対象者にピンチアウトの操作で指定された指定領域５１０（サブ画面）内には、メイン画面５００で表示されたグラフの一部が１．８倍に拡大されて表示されており、付加情報である平均値、目標値及び指導コメントが表示されている。
【００９４】
なお、対象者が２本指でタッチパネル１６０をタップした後にタップした指をタッチパネル１６０から離したら図６のステップＳ４に戻り、新たにタップ（領域の指定）がなされるのを待つこととしても良い。なお、新たなタップに対応してサブ画面を表示する際に既に表示していたサブ画面を消去することとしても良い。
【００９５】
このような表示処理により、対象者はメイン画面においてグラフからバイタルデータの経時的変化の全体的な傾向を把握しつつ、サブ画面で一部の期間についての詳細な情報を確認することができるようになる。そして、倍率に応じて付加情報項目の量が変化するため、対象者はピンチアウトの操作により拡大する程度を調整することで、必要な情報を確認することができるようになる。付加情報項目には、測定値、測定日時及び指導情報等のように指定期間の範囲が広くなれば付加情報の情報量が増加するものが含まれているため、倍率に応じて表示される付加情報項目の量を調整することは有用である。サブ画面生成部１４３がサブ画面に表示する付加情報項目の量は、倍率と対応するため、ある領域（指定期間）を対象者が少し拡大したときに表示されるサブ画面よりも、更に大きく拡大したときのサブ画面の方が広くなり多くの付加情報が表示されるようになる。なお、サブ画面生成部１４３は、表示選択部１３８が選定した付加情報項目の付加情報の全てがサブ画面の領域内に収まるように、付加情報の表示態様（文字の間隔、フォント種別、フォントサイズ等）を調整することとしても良い。この調整は、例えば、全ての付加情報（付加情報を構成する文字列）がサブ画面の領域内に収まる範囲で最大のフォントサイズを用いるようにしても良い。
【００９６】
［１−２−２．指導者用端末に関連した動作］
指導者用端末３００は、指導者による操作に応じて、優先度情報又は指導情報の入力を受け付けて管理装置２００に送信する機能を有する。
【００９７】
図９は、指導者用端末３００の動作を示すフローチャートである。以下、図９に即して、指導者用端末３００の動作を説明する。
【００９８】
まず、指導者用端末３００は、入力部３４１により特定の対象者を指定する指導者の操作を受け付け、この操作に応じて、バイタルデータ取得部３２２により指導者が閲覧を望む特定の対象者のバイタルデータ履歴を管理装置２００から取得する（ステップＳ２１）。また、指導者用端末３００は、その特定の対象者に係る優先度情報を管理装置２００から取得し（ステップＳ２２）、出力部３５１によりバイタルデータ履歴及び優先度情報を表示する（ステップＳ２３）。バイタルデータ履歴及び優先度情報の表示の態様は、例えば表形式等、いかなる態様であっても良い。例えば、バイタルデータ履歴をグラフ形式で表示しても良い。これにより、指導者は指導者用端末３００のディスプレイ３５０に表示された特定の対象者についてのバイタルデータ履歴及び優先度情報を閲覧することができる。
【００９９】
指導者により指導情報の入力があった場合には、即ち指導者用端末３００の入力部３４１が指導者による指導情報の入力を受け付けた場合には（ステップＳ２４）、その指導情報を指導情報保持部３２３に一時的に保持して指導者による指示に応じてその指導情報を管理装置２００に送信する（ステップＳ２５）。これにより管理装置２００の指導情報記憶部２３２に指導情報が蓄積される。
【０１００】
また、指導者による優先度情報の変更指示があった場合には、即ち指導者用端末３００の入力部３４１が指導者による優先度情報の変更指示（及び変更後の優先度情報）を受け付けた場合には（ステップＳ２６）、その変更後の優先度情報を優先度情報保持部３２４に一時的に保持する。そして指導者による指示に応じてその保持した優先度情報を管理装置２００に送信することで、優先度情報の更新を行う（ステップＳ２７）。これにより管理装置２００の優先度情報記憶部２３３に更新後の優先度情報が格納される。このように、優先度情報を更新することで、指導者は、特定の対象者に見せるべき各種付加情報についての優先順序を定めることができるようになる。
【０１０１】
［１−３．効果等］
以上のように、本実施の形態において、対象者用端末１００の画面に対象者から逐次取得したバイタルデータに基づく表示を行う健康管理システム１は、バイタルデータについて取得の時を対応付けたバイタルデータ履歴を記憶するバイタルデータ記憶部２３１と、複数の付加情報項目それぞれの優先度を定めた優先度情報を記憶する優先度情報記憶部２３３と、対象者による画面中の第１領域及び第２領域の指定を受け付ける入出力部１６１と、指定が受け付けられた第１領域及び第２領域のサイズ並びに優先度情報に基づき表示すべき付加情報項目を選定する表示選択部１３８とを備え、入出力部１６１は、一定期間分のバイタルデータ履歴を画面に表示し、対象者による指定が受け付けられた場合には第２領域に関連する位置に、その一定期間のうち第１領域に対応する一部分のバイタルデータ履歴に関連し、選定された付加情報項目についての付加情報を表示する。
【０１０２】
これにより、表示選択部１３８は、例えば指導者用端末３００から管理装置２００に登録された優先度情報に基づいて、指定領域の倍率に応じて、段階的に表示する付加情報項目の量を変更することができる。従って、対象者は、指定領域を拡大する操作によって定まる倍率及び優先度情報に関連して選定される項目についての付加情報を適宜確認することができるようになる。
【０１０３】
（他の実施の形態）
以上のように、本出願において開示する技術の例示として、実施の形態１を説明した。しかしながら、本開示における技術は、これに限定されず、適宜、変更、置き換え、付加、省略等を行った実施の形態にも適用可能である。また、実施の形態１で説明した各構成要素を組み合わせて、新たな実施の形態とすることも可能である。
【０１０４】
以下、他の実施の形態に係る健康管理システム１ａについて説明する。
【０１０５】
図１０は、他の実施の形態に係る健康管理システム１ａの機能ブロック図である。同図に示した健康管理システム１ａは、実施の形態１で示した健康管理システム１の機能構成（図５参照）を一部変形し、指導者用端末を包含しない構成としている。健康管理システム１ａの構成要素のうち健康管理システム１と同じものについては、実施の形態１で説明した構成要素と同一の符号を付しており、ここでは詳しい説明を省略する。
【０１０６】
健康管理システム１ａは、管理装置２００ａ及び対象者用端末１００ａを備える。管理装置２００ａは、実施の形態１で示した管理装置２００と同じハードウェア構成を有し、機能面では、バイタルデータ記憶部２３１、指導情報記憶部２３２及び優先度情報記憶部２３３を有する。この管理装置２００ａは、対象者用端末１００ａ及び健康管理システム１ａの外部の指導者用端末３００ａと通信可能である。指導者用端末３００ａは、健康管理システム１における指導者用端末３００と基本的に同じ構成である。指導者用端末３００ａは、指導者の指示に応じて、管理装置２００ａからバイタルデータ履歴をダウンロードし、管理装置２００ａの指導情報記憶部２３２へ指導情報をアップロードし、優先度情報記憶部２３３に格納された優先度情報を更新する機能を有する。
【０１０７】
対象者用端末１００ａは、実施の形態１で示した対象者用端末１００と同じハードウェア構成を有し、機能面では、受付部１０１、選定部１０２、分析部１０３及び表示部１０４を有する。ここで、受付部１０１は、対象者による画面中の第１領域及び第２領域の指定を受け付ける機能を有する。例えば、第１領域は対象者にタッチパネル上でタップされた２点を直径とする円形の領域、その２点を対角とする矩形の領域等であり、また第２領域は、そのタップされた２点をピンチアウト（拡大）又はピンチイン（縮小）されたことに対応する円、矩形等である。この受付部１０１の一例は、実施の形態１における入出力部１６１、入力検出部１３１等である。選定部１０２は、受付部１０１により指定が受け付けられた第１領域及び第２領域のサイズ並びに優先度情報記憶部２３３から取得した優先度情報に基づき、表示すべき付加情報項目を選定する機能を有する。選定部１０２は、第２領域のサイズの第１領域のサイズに対する比である倍率に応じて選定を行っても良いし、更に第２領域のサイズにも応じて選定（例えば同じ倍率でも第２領域のサイズが小さい程選定する付加情報項目を少なくする等）を行っても良いし、第１領域と第２領域との大きさの差分（寸法の差、面積の差等）に基づいて選定（例えば差分が大きい程選定する付加情報項目を多くする等）を行っても良い。この選定部１０２の一例は、実施の形態１における表示選択部１３８である。また、分析部１０３は、第１領域に対応する部分のバイタルデータ履歴に基づいて、選定部１０２により選定された付加情報項目についての分析情報を算出する。この分析部１０３の一例は、実施の形態１における分析情報算出部１３７である。また、表示部１０４は、一定期間分のバイタルデータ履歴を画面に表示する機能を有する。表示部１０４は更に、受付部１０１により指定が受け付けられた場合には第２領域に関連する位置に、一定期間のうち第１領域に対応する一部分のバイタルデータ履歴に関連し選定部１０２により選定された付加情報項目についての付加情報を表示する機能を有する。第２領域に関連する位置は、例えば第２領域内部、或いはその第２領域から一定範囲内の周辺領域等である。この付加情報の表示においては、第２領域のサイズに応じて付加情報の表示態様（フォントサイズ、文字間隔等）を決定してその態様で表示しても良い。この表示部１０４の一例は、実施の形態１における画面生成部１４１及び入出力部１６１である。
【０１０８】
以下、他の実施の形態としての健康管理システムにおいて対象者に用いられる端末装置１００ｂについて説明する。
【０１０９】
図１１は、他の実施の形態に係る健康管理システムにおける端末装置の機能ブロック図である。同図に示す端末装置１００ｂは、スマートフォン、タブレット等といった端末装置であり、メモリ、プロセッサ、入力装置及びディスプレイ装置、通信Ｉ／Ｆ等を備える。端末装置１００ｂは、機能面では、バイタルデータ記憶部２３１ａ、優先度情報記憶部２３３ａ、受付部１０１、選定部１０２及び表示部１０４を有する。バイタルデータ記憶部２３１ａは、対象者について測定されたバイタルデータに基づくバイタルデータ履歴を記憶するメモリ等の記憶領域であり、例えば健康管理システム１での管理装置２００のバイタルデータ記憶部２３１との間でバイタルデータ履歴がネットワークを介して相互に伝達され得るように構成されても良い。また、優先度情報記憶部２３３ａは、優先度情報を記憶するメモリ等の記憶領域であり、例えば管理装置２００の優先度情報記憶部２３３との間で優先度情報が相互に伝達され得るように構成されても良い。なお、受付部１０１、選定部１０２及び表示部１０４は、健康管理システム１ａの対象者用端末１００ａと同じものである。なお、付加情報項目として分析情報を含ませる場合には、端末装置１００ｂに分析部１０３を含ませても良い。
【０１１０】
また、実施の形態１では対象者用端末１００を対象者が操作してバイタルデータ履歴を閲覧するために用いることとしたが、対象者以外の者（例えば対象者の保護者といった関係者等）が操作して閲覧するために対象者用端末１００を用いても良い。
【０１１１】
また、実施の形態１では測定装置９０が無線でバイタルデータを対象者用端末１００に送信し得ることについて示したが、対象者用端末１００がバイタルデータを測定する測定装置（血圧計、歩数計、血糖値センサ等）を内蔵することとしても良い。また、対象者用端末１００がその測定装置と有線で電気的に接続されることとしても良い。また、バイタルデータに測定日時を付加してなるバイタルデータ履歴を測定装置９０が対象者用端末１００を介さずに管理装置２００に送信して登録するようにしても良い。
【０１１２】
また、実施の形態１では、表示選択部１３８が、対象者用端末１００を用いる対象者に対して１つの優先度情報を参照してサブ画面に表示すべき付加情報（付加情報項目）を選定する例を説明した。しかしながら、優先度情報は予め複数個用意されたものから、対象者毎にいずれの優先度情報を使用するかを選定して利用することとしても良い。即ち、健康管理システムを利用する複数の対象者それぞれに対して別個の優先度情報を定めることとしても良いし、一定の対象者に共通な優先度情報を定めることとしても良い。
【０１１３】
また、実施の形態１では、指定領域として、円形の領域を用いて説明したが、これに限定されるものではない。対象者が指定した２点を対角とする矩形の領域でも良い。なお、矩形の領域の場合には、元の矩形から拡大又は縮小後の矩形までの倍率を算出する場合において、矩形の短辺及び長辺のいずれかの長さの比を倍率として用いることができる。また、実施の形態１では、２点を直径とする円形領域に外接する横軸への垂線を用いて指定期間を検出したが、２点からの垂線を用いて指定期間を検出しても良い。
【０１１４】
また、実施の形態１では、倍率に基づいて優先度の範囲（最低優先度）を決定し、この優先度の範囲に基づいて表示すべき付加情報項目を決定する例を説明したが、倍率から直接、付加情報を決定しても良い。倍率から直接、付加情報を決定すれば、内部の処理量は軽減される。但し、倍率から一旦優先度の範囲（最低優先度）を決定してから付加情報項目を決定する方法によれば、対象者が保有する対象者用端末の画面サイズに応じて、容易に、倍率と最低優先度との関係を修正できるようになる。また、倍率テーブルと優先度情報とは統合してもよく、例えば優先度情報として倍率毎にその倍率で表示すべき付加情報項目を対応付けた情報を用いることとしてもよい。
【０１１５】
また、実施の形態１では、倍率検出部１３３は、領域検出部１３２にて検出した拡大又は縮小の対象となる領域の範囲（大きさ）に対する拡大後又は縮小後の領域の範囲（大きさ）の比である倍率（寸法比）を算出することとした。しかし、倍率として寸法比（長さの比）の他に、面積比を用いることとしても良い。なお、サブ画面に表示するグラフ（指定期間のバイタルデータ履歴のグラフ）は倍率に依存せずサブ画面に収まるサイズで表示することとしてもよい。
【０１１６】
また、実施の形態１では、対象者がタップして領域を指定してピンチアウト又はピンチインの操作を行って拡大又は縮小後の領域を指定する例を示した。しかし、タップ、ピンチアウト及びピンチインは操作方法の一例にすぎず、この２つの領域の指定（つまり第１領域と第２領域の指定）を他の操作方法で行えるようにしても良い。実施の形態１では、円形の領域を指定するために対象者が２点のタップを行うこととしたが、１点のタップ、ダブルタップ等としても良い。その１点のタップ等により、タップ等された点を中心として予めそのタップ等に応じて定められた直径の円形の領域が指定されたものと扱うこととしてもよい。
【０１１７】
また、実施の形態１では、サブ画面内には指定期間のバイタルデータ履歴をグラフ形式で表示することとしたが、サブ画面内に必ずしもグラフ形式でバイタルデータ履歴を表示しなくても良い、付加情報だけを表示することとしても良い。
【０１１８】
また、実施の形態１では対象者用端末１００において、付加情報項目の決定、分析情報の算出等の各種処理を行うこととしたが、その全部又は一部を管理装置２００が分担して処理することとしても良い。
【０１１９】
また、実施の形態１で示した健康管理システム１における各種処理の実行順序（例えば図６及び図９に示した手順等）は、必ずしも、実施の形態１に記載した通りの順序に制限されるものではなく、発明の要旨を逸脱しない範囲で、実行順序を入れ替えることができる。
【０１２０】
また、実施の形態１で示した対象者用端末１００、管理装置２００或いは指導者用端末３００といった装置類の各機能構成要素を、それぞれ分離した別個の装置内に設置することとしても良い。分離した各装置内の各機能構成要素は、互いに有線又は無線で通信することにより連携して動作し、実施の形態１で示した対象者用端末１００、管理装置２００或いは指導者用端末３００により行われるものと同様の処理が実現されるようになる。
【０１２１】
また、健康管理システム１における各装置類の機能構成要素（機能ブロック）は、ＩＣ（Integrated Circuit）、ＬＳＩ（Large Scale Integration）等の半導体装置により個別に１チップ化されても良いし、一部又は全部を含むように１チップ化されても良い。また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。更には、半導体技術の進歩又は派生する別技術によりＬＳＩに置き換わる集積回路化の技術が登場すれば、その技術を用いて機能ブロックの集積化を行っても良い。バイオ技術の適用等が可能性としてあり得る。
【０１２２】
また、上述した各装置類による各種処理（図６及び図９に示す手順等）の全部又は一部は、各装置類のハードウェアにより実現されても、ソフトウェアを用いて実現されても良い。なお、ソフトウェアによる処理は、各装置類に含まれるプロセッサがメモリに記憶された制御プログラムを実行することにより実現されるものである。また、その制御プログラムを記録媒体に記録して頒布や流通させても良い。例えば、頒布された制御プログラムを装置類にインストールして、装置類のプロセッサに実行させることで、装置類に各種処理（図６、図９に示す処理等）を行わせることが可能となる。
【産業上の利用可能性】
【０１２３】
本開示は、健康管理のために情報を表示するシステムに適用可能である。具体的には、医療従事者と患者との間で患者の健康状態に係る情報を共有する場合等に、本開示は適用可能である。
【符号の説明】
【０１２４】
１、１ａ  健康管理システム
９０  測定装置
１００、１００ａ  対象者用端末
１００ｂ  端末装置
１０１  受付部
１０２  選定部
１０３  分析部
１０４  表示部
１１０、２１０、３１０  通信Ｉ／Ｆ
１１１  通信部（対象者用端末の通信部）
１２０、２２０、３２０  ＣＰＵ
１２１  制御部（対象者用端末の制御部）
１２６  データ取得部
１２７  バイタルデータ取得部（対象者用端末のバイタルデータ取得部）
１２８  指導情報取得部
１２９  優先度情報取得部
１３１  入力検出部
１３２  領域検出部
１３３  倍率検出部
１３６  演算部
１３７  分析情報算出部
１３８  表示選択部
１４１  画面生成部
１４２  メイン画面生成部
１４３  サブ画面生成部
１５０  フラッシュメモリ
１６０  タッチパネル
１６１  入出力部
２００、２００ａ  管理装置
２１１  通信部（管理装置の通信部）
２２１  制御部（管理装置の制御部）
２３０  ＨＤＤ
２３１、２３１ａ  バイタルデータ記憶部
２３２  指導情報記憶部
２３３、２３３ａ  優先度情報記憶部
３００、３００ａ  指導者用端末
３１１  通信部（指導者用端末の通信部）
３２１  制御部（指導者用端末の制御部）
３２２  バイタルデータ取得部（指導者用端末のバイタルデータ取得部）
３２３  指導情報保持部
３２４  優先度情報保持部
３３０  ＲＡＭ
３４０  キーボード
３４１  入力部
３５０  ディスプレイ
３５１  出力部
４００  インターネット回線網
【手続補正２】
【補正対象書類名】特許請求の範囲
【補正対象項目名】全文
【補正方法】変更
【補正の内容】
【特許請求の範囲】
【請求項１】
画面に所定の対象者から逐次取得したバイタルデータに基づく表示を行う健康管理システムであって、
前記バイタルデータについて取得の時を対応付けたバイタルデータ履歴を記憶するバイタルデータ記憶部と、
複数の付加情報項目それぞれの優先度を定めた優先度情報を記憶する優先度情報記憶部と、
画面中の第１領域及び第２領域の指定を受け付ける受付部と、
前記受付部により指定が受け付けられた第１領域及び第２領域のサイズ並びに前記優先度情報に基づき、表示すべき付加情報項目を選定する選定部と、
一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える
健康管理システム。
【請求項２】
前記選定部は、前記第２領域のサイズの前記第１領域のサイズに対する比である倍率に応じて前記優先度情報に基づき前記選定を行い、
前記優先度情報は、倍率毎に付加情報項目を対応付けた情報である
請求項１記載の健康管理システム。
【請求項３】
前記表示部は、前記受付部により前記指定が受け付けられた場合には前記第２領域内に前記付加情報を表示し、
前記選定部は、前記倍率が大きい程多くの付加情報項目を選定する
請求項２記載の健康管理システム。
【請求項４】
前記表示部は、前記第２領域のサイズに応じて前記付加情報の表示態様を決定し、決定した当該表示態様で当該付加情報を表示する
請求項３記載の健康管理システム。
【請求項５】
前記選定部は、前記第２領域のサイズにも応じて、前記優先度情報に基づき前記選定を行う
請求項３記載の健康管理システム。
【請求項６】
前記表示部は、前記一定期間分の前記バイタルデータ履歴をグラフ形式で表示し、前記受付部により前記指定が受け付けられた場合には前記第２領域内に、前記グラフ形式の前記バイタルデータ履歴を前記比に係る前記倍率で拡大して表示する
請求項３記載の健康管理システム。
【請求項７】
前記健康管理システムは、前記第１領域に対応する部分の前記バイタルデータ履歴に基づいて、前記選定部により選定された付加情報項目についての分析情報を算出する分析部を備え、
前記表示部が表示する前記付加情報は、前記分析部により算出された分析情報を含む
請求項２記載の健康管理システム。
【請求項８】
前記健康管理システムは、相互に通信可能な前記バイタルデータ履歴を管理する管理装置と前記対象者から前記バイタルデータを取得する対象者用端末とを備え、
前記対象者用端末は、前記画面と前記受付部と前記表示部とを有する
請求項２記載の健康管理システム。
【請求項９】
前記管理装置は、前記バイタルデータ履歴を参照した指導者が前記対象者に向けた指導情報を入力するための指導者用端末と通信可能であり、当該指導者用端末から取得した当該指導情報を記憶するための指導情報記憶部を有し、
前記表示部が表示する前記付加情報は、前記指導情報記憶部に記憶された前記指導情報を含む
請求項８記載の健康管理システム。
【請求項１０】
前記優先度情報記憶部に記憶された前記優先度情報は前記指導者用端末から更新可能に構成される
請求項９記載の健康管理システム。
【請求項１１】
画面に対象者から逐次取得したバイタルデータに基づく表示を行う端末装置であって、
前記バイタルデータについて取得の時を対応付けたバイタルデータ履歴を記憶するバイタルデータ記憶部と、
複数の付加情報項目それぞれの優先度を定めた優先度情報を記憶する優先度情報記憶部と、
画面中の第１領域及び第２領域の指定を受け付ける受付部と、
前記受付部により指定が受け付けられた第１領域及び第２領域のサイズ並びに前記優先度情報に基づき、表示すべき付加情報項目を選定する選定部と、
一定期間分の前記バイタルデータ履歴を前記画面に表示し、前記受付部により前記指定が受け付けられた場合には前記第２領域に関連する位置に、当該一定期間のうち前記第１領域に対応する一部分の前記バイタルデータ履歴に関連し前記選定部により選定された付加情報項目についての付加情報を表示する表示部とを備える
端末装置。
【請求項１２】
端末装置の画面に対象者から逐次取得したバイタルデータに基づく表示を行う表示方法であって、
前記バイタルデータについて取得の時を対応付けたバイタルデータ履歴を記憶し、
一定期間分の前記バイタルデータ履歴を前記画面に表示し、
複数の付加情報項目それぞれの優先度を定めた優先度情報を取得し、
画面中の第１領域及び第２領域の指定を受け付け、
前記指定が受け付けられた第１領域及び第２領域のサイズ並びに前記優先度情報に基づき、表示すべき付加情報項目を選定し、
前記第２領域に関連する位置に、前記一定期間のうち前記第１領域に対応する一部分の前記バイタルデータ履歴に関連し、前記選定がなされた付加情報項目についての付加情報を表示する
表示方法。
【請求項１３】
プロセッサを備える端末装置に、画面に対象者から逐次取得したバイタルデータに基づく表示を行う表示処理を実行させるための制御プログラムであって、
前記表示処理は、
前記バイタルデータについて取得の時を対応付けたバイタルデータ履歴を記憶するステップと、
一定期間分の前記バイタルデータ履歴を前記画面に表示するステップと、
複数の付加情報項目それぞれの優先度を定めた優先度情報を取得するステップと、
画面中の第１領域及び第２領域の指定を受け付けるステップと、
前記指定が受け付けられた第１領域及び第２領域のサイズ並びに前記優先度情報に基づき、表示すべき付加情報項目を選定するステップと、
前記第２領域に関連する位置に、前記一定期間のうち前記第１領域に対応する一部分の前記バイタルデータ履歴に関連し、前記選定がなされた付加情報項目についての付加情報を表示するステップとを含む
制御プログラム。
【手続補正３】
【補正対象書類名】図面
【補正対象項目名】全図
【補正方法】変更
【補正の内容】
【図１】
2015140845.tif 000014
【図２】
2015140845.tif 000015
【図３】
2015140845.tif 000016
【図４】
2015140845.tif 000017
【図５】
2015140845.tif 000018
【図６】
2015140845.tif 000019
【図７】
2015140845.tif 000020
【図８】
2015140845.tif 000021
【図９】
2015140845.tif 000022
【図１０】
2015140845.tif 000023
【図１１】
2015140845.tif 000024
【国際調査報告】
2015140845.tif 000025
2015140845.tif 000026